(57)【要約】【課題】  監視対象となる領域を監視する監視システムで、監視対象となる領域を効果的に監視する。【解決手段】  監視対象となる領域の画像を撮像する監視装置１と、監視装置により撮像された画像を表示する監視端末装置２を有し、監視装置では、画像撮像手段１１が監視対象となる領域の画像を撮像し、画像送信手段１６が画像撮像手段により撮像された画像を監視端末装置に対して送信し、監視端末装置では、画像受信手段が監視装置から送信される画像を受信し、拡大画像表示手段が画像受信手段により受信された画像に含まれる２つ以上の部分の画像を同一の画面に拡大して表示する。【選択図】  図１
2006033380.tif 000002
【特許請求の範囲】
【請求項１】
監視対象となる領域の画像を撮像する監視装置と、前記監視装置により撮像された画像を表示する監視端末装置を有した監視システムの監視端末装置における画像表示方法であって、
前記監視装置から送信される画像を受信し、
前記受信した画像に含まれる２つ以上の部分の画像を同一の画面に拡大して表示する、
ことを特徴とする監視端末装置における画像表示方法。
【請求項２】
請求項１に記載の監視端末装置における画像表示方法において、
前記受信した画像に含まれる２つ以上の部分のそれぞれを示す枠を表示し、
前記表示したそれぞれの枠で示される部分の画像をそれぞれ異なるフレームに拡大して表示し、
前記表示したそれぞれの枠と前記それぞれのフレームとの対応関係を表示する、
ことを特徴とする監視端末装置における画像表示方法。
【請求項３】
請求項１に記載の監視端末装置における画像表示方法において、
前記受信した画像に含まれる２つ以上の部分のそれぞれを示す枠を表示し、
前記表示したそれぞれの枠で示される部分の画像をそれぞれ異なるフレームに拡大して表示し、
ユーザによる操作に応じて前記表示したそれぞれの枠による画像部分の指定を解除する、
ことを特徴とする監視端末装置における画像表示方法。
【請求項４】
請求項１乃至請求項３のいずれか１項に記載の監視端末装置における画像表示方法において、
前記拡大して表示する画像の位置を初期的に設定し、前記設定した画像の位置を移動させ、前記拡大して表示する画像の拡大率を設定し、
前記拡大して表示する画像の位置の初期的な設定及び移動により決定される位置の画像を、前記設定した拡大率で拡大して表示する、
ことを特徴とする監視端末装置における画像表示方法。
【請求項５】
請求項１乃至請求項４のいずれか１項に記載の監視端末装置における画像表示方法において、
前記監視装置から送信される複数種類の画質の画像を受信し、
前記複数種類の画質の画像のうちで、いずれかの画質の画像を用いて２つ以上の部分の指定を受け付け、これと同一の画質の画像又は異なる画質の画像を用いて前記指定された２つ以上の部分の画像を拡大して表示する、
ことを特徴とする監視端末装置における画像表示方法。
【発明の詳細な説明】
【技術分野】
【０００１】
本発明は、監視対象となる領域（監視対象領域）を監視する監視システムの監視端末装置における画像表示方法に関し、特に、監視対象となる領域を効果的に監視することができる監視システムの監視端末装置における画像表示方法に関する。
【背景技術】
【０００２】
例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などといった撮像素子によるテレビジョンカメラなどの撮像装置を用いた監視装置は、従来より広く用いられている。
このような監視装置を用いた監視システムにおける有人監視では、監視対象領域に入り込んでくる不審な人物や侵入者や物体、或いは火災などの異常の検出を、監視員（オペレータ）がモニタに表示される画像を見ながら行う。このような有人監視では、監視員の熟練度や健康状態などによって監視能力に差が生じ、不審者などの異常の見逃しなどの問題が発生する場合があった。
【０００３】
そこで、従来の有人による監視システムに、カメラ等の画像入力手段から入力される画像に基づいて不審者などの異常を自動的に検出して所定の報知や警報処置が得られる機能を付加したシステムが数多く提案されている。
一例として、カメラにより得られた入力画像と、予め作成した基準背景画像すなわち検出すべき物体が映っていない画像とを比較して、画素毎に輝度値の差分を求めることで入力画像中の輝度値が変化している領域を検出し、当該検出した変化領域の位置変化を処理フレーム毎に判定することにより、監視対象領域内の不審者などの異常を検出することができる。このようにして入力画像中の輝度値が変化している領域を検出する処理は、一般的に、差分法と呼ばれており、従来より広く用いられている。
【０００４】
また、このような監視システムでは、不審者などの異常を検出した場合における機能として、カメラのズームレンズや雲台（電動旋回台）を操作して不審者の顔や異常の種類をズームアップして映す機能（ここで、第１の機能と言う）や、カメラから高画質（高精細）の画像を得られるようにする機能（ここで、第２の機能と言う）が必要となると考えられる。
前記第１の機能としては、例えば、テンプレートマッチングを用いて対象物体の動きを検出し、当該対象物体の動きに応じてカメラの雲台を制御することができる。
前記第２の機能としては、例えば、入力画像の変化を検出し、変化が検出された場合には高画質の静止画像を得られるようにし、変化が検出されない場合には低画質の動画像を得られるようにすることができる。
【０００５】
【特許文献１】特開２０００−１０５８３５号公報
【特許文献２】特開２０００−１７５１７７号公報
【特許文献３】特開２００１−６０２６３号公報
【特許文献４】特開２００３−２１９４０２号公報
【発明の開示】
【発明が解決しようとする課題】
【０００６】
しかしながら、従来の監視システムにおいては、例えば、不審者などの異常を検出した場合にカメラのズームレンズや雲台を操作する方法では、監視対象領域の一部分の領域しか監視することができず、それ以外の領域は死角になってしまうという問題があった。また、複数箇所をズームアップして監視したい場合には、カメラのズームレンズや雲台の操作を複数回繰り返すことが必要であるため、操作が非常に煩雑となり、複数の対象を同時に確認することは不可能であるという問題があった。
【０００７】
本発明は、このような従来の事情に鑑み為されたもので、監視対象となる領域を効果的に監視することができる監視システムの監視端末装置における画像表示方法を提供することを目的とする。
更に具体的には、本発明では、例えば、カメラのズームレンズや雲台を操作しなくとも、不審者などの異常に係る２つ以上の監視対象物体についてオペレータが指定した位置の画像などを拡大表示することを可能とすることを実現する。
【課題を解決するための手段】
【０００８】
上記目的を達成するため、本発明に係る監視端末装置における画像表示方法では、監視対象となる領域の画像を撮像する監視装置と、前記監視装置により撮像された画像を表示する監視端末装置を有した監視システムの監視端末装置において、次のような処理を行う。
すなわち、前記監視装置から送信される画像を受信し、前記受信した画像に含まれる２つ以上の部分の画像を同一の画面に拡大して表示する。
一構成例として、本発明に係る監視システムでは、監視対象となる領域（監視対象領域）の画像を撮像する監視装置と、前記監視装置により撮像された画像を表示する監視端末装置を有し、次のような処理を行う。
すなわち、前記監視装置では、画像撮像手段が前記監視対象となる領域の画像を撮像し、画像送信手段が前記画像撮像手段により撮像された画像を前記監視端末装置に対して送信する。
前記監視端末装置では、画像受信手段が前記監視装置から送信される画像を受信し、拡大画像表示手段が前記画像受信手段により受信された画像に含まれる２つ以上の部分の画像を同一の画面に拡大して表示する。
従って、監視装置により撮像された画像に含まれる２つ以上の部分の画像が監視端末装置において同一の画面に拡大して表示されることにより、監視対象となる領域を効果的に監視することができ、例えば、カメラのズームレンズや雲台を操作しなくとも、不審者などの異常に係る２つ以上の監視対象物体についてオペレータが指定した位置の画像などを拡大表示することを可能とすることができる。
【０００９】
ここで、監視装置と監視端末装置としては、例えば、別体で構成されて有線や無線の回線により接続されてもよく、或いは、一体で構成されてもよい。
また、監視対象となる領域としては、種々な領域が用いられてもよい。
また、画像撮像手段としては、例えば、カメラを用いて構成することができる。
また、画像としては、種々なものが用いられてもよく、例えば、静止画像が用いられてもよく、動画像が用いられてもよい。
また、拡大画像表示手段により拡大して表示する２つ以上の部分の画像の数としては、種々な数が用いられてもよい。
また、拡大画像表示手段により２つ以上の部分の画像を同一の画面に拡大して表示する態様としては、種々な態様が用いられてもよい。
【００１０】
本発明に係る監視端末装置における画像表示方法では、一態様例として、次のような処理を行う。
すなわち、前記受信した画像に含まれる２つ以上の部分のそれぞれを示す枠を表示し、前記表示したそれぞれの枠で示される部分の画像をそれぞれ異なるフレームに拡大して表示し、前記表示したそれぞれの枠と前記それぞれのフレームとの対応関係を表示する。
一構成例として、本発明に係る監視システムでは、次のような構成とした。
すなわち、前記監視端末装置では、画像部分枠表示手段が前記画像受信手段により受信された画像に含まれる２つ以上の部分のそれぞれを示す枠を表示する。また、前記監視端末装置では、前記拡大画像表示手段は、前記画像部分枠表示手段により表示されるそれぞれの枠で示される部分の画像をそれぞれ異なるフレームに拡大して表示する。また、前記監視端末装置では、画像部分対応関係表示手段が、前記画像部分枠表示手段により表示されるそれぞれの枠と前記それぞれのフレームとの対応関係を（視覚的に）表示する。
従って、２つ以上の部分の画像について、それぞれの部分を示す枠とそれぞれの部分の画像を表示するフレームとの対応関係が視覚的に表示されるため、監視を行う者などにとって、それぞれの部分とそれぞれの部分の画像との対応関係を視覚的に把握することを容易化することができ、監視作業の効率化を図ることができる。
【００１１】
ここで、２つ以上の部分の画像に関して、それぞれの部分の形や大きさや、それぞれの部分を示す枠の形や大きさとしては、種々な態様が用いられてもよい。
また、或る画像に含まれる２つ以上の部分のそれぞれを示す枠は、例えば、当該画像の全体或いは一部を表示したものの中に表示される。
また、それぞれの枠とそれぞれのフレームとの対応関係を（視覚的に）表示する態様としては、種々な態様が用いられてもよく、例えば、文字や色などを使用する態様を用いることができ、具体的には、互いに対応する枠とフレームに同一の文字や同一の色を付するような態様を用いることができる。
【００１２】
本発明に係る監視端末装置における画像表示方法では、一態様例として、次のような処理を行う。
すなわち、前記受信した画像に含まれる２つ以上の部分のそれぞれを示す枠を表示し、前記表示したそれぞれの枠で示される部分の画像をそれぞれ異なるフレームに拡大して表示し、ユーザによる操作に応じて前記表示したそれぞれの枠による画像部分の指定を解除する。
一構成例として、本発明に係る監視システムでは、次のような構成とした。
すなわち、前記監視端末装置では、画像部分枠表示手段が前記画像受信手段により受信された画像に含まれる２つ以上の部分のそれぞれを示す枠を表示する。また、前記監視端末装置では、前記拡大画像表示手段は、前記画像部分枠表示手段により表示されるそれぞれの枠で示される部分の画像をそれぞれ異なるフレームに拡大して表示する。また、前記監視端末装置では、画像部分枠指定解除手段が、ユーザによる操作に応じて、前記画像部分枠表示手段により表示されるそれぞれの枠による画像部分の指定を解除する。
従って、拡大表示させる画像部分を指定するための枠の数が３つや４つなどのように有限個であっても、ユーザは、任意の枠による画像部分の指定を解除して、当該解除した枠を用いて他の画像部分を指定することが可能であり、これにより、ユーザは、指定する画像部分を自由に変更などして、効果的な監視を行うことができる。
【００１３】
ここで、ユーザによる操作としては、例えば、キーボードやマウスなどの種々な操作が用いられてもよい。一例として、画面上に各種のボタンを表示して、ユーザがキーボードやマウスを操作して画面上でそれぞれのボタンをクリックなどすることによりそれぞれのボタンを指定するような態様を用いることができる。
また、複数の枠のそれぞれにより画像部分が指定される場合に、例えば、それぞれの枠による画像部分の指定を個別に解除する操作が設けられてもよく、或いは、全ての枠による画像部分の指定をまとめて解除する操作が設けられてもよく、或いは、これら両方の操作が設けられてもよい。
【００１４】
本発明に係る監視端末装置における画像表示方法では、一態様例として、次のような処理を行う。
すなわち、前記拡大して表示する画像の位置を初期的に設定し、前記設定した画像の位置を移動させ、前記拡大して表示する画像の拡大率を設定し、そして、前記拡大して表示する画像の位置の初期的な設定及び移動により決定される位置の画像を、前記設定した拡大率で拡大して表示する。
一構成例として、本発明に係る監視システムでは、次のような構成とした。
すなわち、前記監視端末装置では、画像部分位置初期設定手段や、画像部分位置移動手段や、画像部分拡大率設定手段を備える。画像部分位置初期設定手段は、前記拡大画像表示手段により拡大して表示する画像の位置を初期的に設定する。また、画像部分位置移動手段は、前記画像部分位置初期設定手段により設定された画像の位置を移動させる。また、画像部分拡大率設定手段は、前記拡大画像表示手段により拡大して表示する画像の拡大率を設定する。
また、前記監視端末装置では、前記拡大画像表示手段は、前記画像部分位置初期設定手段及び前記画像部分位置移動手段により決定される位置の画像を、前記画像部分拡大率設定手段により設定される拡大率で拡大して表示する。
従って、２つ以上の部分の画像について、それぞれの部分の画像の位置を初期的に設定することや、当該初期的に設定された画像の位置を移動させることや、それぞれの部分の画像の拡大率を初期的に或いは変更して設定することが可能であり、様々な設定で効果的な監視を行うことができる。
【００１５】
ここで、画像部分位置初期設定手段による設定や、画像部分位置移動手段による移動や、画像部分拡大率設定手段による設定としては、それぞれ、例えば、人による操作に応じて行われてもよく、或いは、監視装置や監視端末装置などに予め設定された所定の条件に基づいて自動的に行われてもよい。
また、画像部分位置初期設定手段による設定や、画像部分位置移動手段による移動や、画像部分拡大率設定手段による設定としては、それぞれ、例えば、それぞれの部分の画像毎に個別に選択して行われてもよく、或いは、全て又は幾つかの部分の画像についてまとめて行われてもよい。
【００１６】
本発明に係る監視端末装置における画像表示方法では、一態様例として、次のような処理を行う。
すなわち、前記監視装置から送信される複数種類の画質の画像を受信し、前記複数種類の画質の画像のうちで、いずれかの画質の画像を用いて２つ以上の部分の指定を受け付け、これと同一の画質の画像又は異なる画質の画像を用いて前記指定された２つ以上の部分の画像を拡大して表示する。
一構成例として、本発明に係る監視システムでは、次のような構成とした。
すなわち、前記監視装置の前記画像撮像手段は、複数種類の画質の画像を撮像する。また、前記監視端末装置の前記拡大画像表示手段は、前記複数種類の画質の画像のうちで、いずれかの画質の画像を用いて２つ以上の部分の指定を受け付け、これと同一の画質の画像又は異なる画質の画像を用いて前記指定された２つ以上の部分の画像を拡大して表示する。
従って、複数種類の画質の画像のうちの１つ以上の画像を用いて、画像部分の指定や画像部分の拡大表示を行うことができ、例えば、画像部分を指定するために有効な画質の画像が参照されて画像部分の指定が行われるように設定することや、画像部分を拡大表示するために有効な画質の画像が加工されて画像部分の拡大表示が行われるように設定することが可能であり、これにより、効果的な監視を行うことができる。
【００１７】
ここで、画像部分の指定を受け付けるために用いられる画質の画像と、画像部分を拡大表示するために用いられる画質の画像としては、それぞれ種々な画質の画像が用いられてもよく、例えば、同一の画質の画像が用いられてもよく、或いは、異なる画質の画像が用いられてもよい。例えば、比較的に低画質の画像と高画質の画像が取得される場合には、いずれか一方の画質の画像を用いて画像部分の指定と画像部分の拡大表示との両方を行う態様を用いることができ、或いは、いずれか一方の画質の画像を用いて画像部分の指定を行い他方の画質の画像を用いて当該指定された画像部分の拡大表示を行う態様を用いることができる。
また、画像部分の指定としては、例えば、ユーザによる操作に応じて受け付けられてもよく、或いは、画像処理機能による処理結果や各種の検出機能による検出結果などに応じて（自動的に）受け付けられてもよい。
【００１８】
以下で、監視システムに関する種々な構成例を示す。
一構成例として、監視システムでは、監視対象となる領域（監視対象領域）の画像を撮像する監視装置と、前記監視装置により撮像された画像を表示する監視端末装置を有し、次のようにして、前記監視装置が前記監視端末装置からのリクエスト信号に応じて前記監視端末装置へ画像を送信する。
すなわち、前記監視装置では、画像撮像手段が、前記監視対象となる領域の画像を撮像する。リクエスト信号受信手段が、前記監視端末装置から送信される前記リクエスト信号を受信する。第１の画像送信手段が、前記リクエスト信号受信手段により前記リクエスト信号が非受信である状態（つまり、受信されていない状態）において、前記画像撮像手段により撮像された画像であって第１の画質の画像を前記監視端末装置に対して送信する。第２の画像送信手段が、前記リクエスト信号受信手段により前記リクエスト信号が受信された状態において、前記画像撮像手段により撮像された画像であって前記第１の画質と比べて高画質な第２の画質の画像を前記監視端末装置に対して送信する。
前記監視端末装置では、画像受信手段が、前記監視装置から送信される画像を受信する。画像表示手段が、前記画像受信手段により受信された画像を表示する。リクエスト信号送信指示受付手段が、前記リクエスト信号を送信する指示をユーザから受け付ける。リクエスト信号送信手段が、前記リクエスト信号送信指示受付手段により前記リクエスト信号を送信する指示が受け付けられた場合に、前記リクエスト信号を監視装置に対して送信する。
【００１９】
従って、監視端末装置ではリクエスト信号を送信する指示をユーザから受け付け、当該指示が無い場合には比較的に低画質な第１の画質の画像が監視装置から監視端末装置へ送信されて表示され、当該指示が有った場合には比較的に高画質な第２の画質の画像が監視装置から監視端末装置へ送信されて表示されることにより、監視対象となる領域を効果的に監視することができる。例えば、監視端末装置から監視装置へのリクエスト信号が有った場合にのみ高画質な第２の画質の画像を送信することにより、伝送する画像のデータ量を小さくすることが可能である。
【００２０】
ここで、リクエスト信号としては、種々な信号が用いられてもよい。
また、リクエスト信号が非受信である状態と、リクエスト信号が受信された状態との識別としては、種々な態様が用いられてもよく、例えば、リクエスト信号が非受信である状態からリクエスト信号が受信された状態へ移行するタイミングや、リクエスト信号が受信された状態からリクエスト信号が非受信である状態へ移行するタイミングとしては、それぞれ種々なタイミングが用いられてもよい。
また、第１の画質の画像と、第２の画質の画像としては、それぞれ種々な画質の画像が用いられてもよい。なお、第１の画質の画像は第２の画質の画像と比べて低画質であり、第２の画質の画像は第１の画質の画像と比べて高画質である。
【００２１】
また、第１の画質の画像や、第２の画質の画像としては、例えば、画像撮像手段により撮像された画像の画質と同一の画質を有する画像が用いられてもよく、或いは、画像撮像手段により撮像された画像の画質が変換された画像が用いられてもよい。また、第１の画質の画像や、第２の画質の画像としては、例えば、画像撮像手段により撮像された画像がそのまま用いられてもよく、或いは、画像撮像手段により撮像された画像に対して符号化などの処理が行われた画像が用いられてもよい。
また、例えば、第１の画質の画像及び第２の画質の画像のほかに、異なる画質の画像が撮像や画像処理や送受信や表示などされてもよく、つまり、３つ以上の異なる画質の画像を用いた監視処理が行われてもよい。
また、ユーザから指示や情報などを受け付ける手段としては、例えば、ユーザにより操作されるキーボードやマウスなどを用いて構成することができる。
【００２２】
一構成例として、次のような構成とする。
すなわち、前記監視装置では、異常検出手段が、前記画像撮像手段により撮像された画像に基づいて異常を検出する。異常画像記憶手段が、前記第２の画質の画像と、前記異常検出手段により検出された異常に関する情報とを対応付けて記憶する。
前記監視装置の前記第２の画像送信手段は、前記異常検出手段により検出された異常に関する情報を前記監視端末装置に対して送信する。
前記監視端末装置の前記画像受信手段は、前記監視装置から送信される前記異常に関する情報を受信する。
前記監視端末装置では、異常情報記憶手段が、前記画像受信手段により受信された前記異常に関する情報を記憶する。異常情報出力手段が、前記異常情報記憶手段に記憶された前記異常に関する情報を出力する。
前記監視端末装置の前記リクエスト信号送信指示受付手段は、前記異常に関する情報の指定をユーザから受け付ける。
前記監視端末装置の前記リクエスト信号送信手段は、前記リクエスト信号送信指示受付手段により指定が受け付けられた前記異常に関する情報を含む前記リクエスト信号を監視装置に対して送信する。
前記監視装置の前記第２の画像送信手段は、前記リクエスト信号受信手段により受信された前記リクエスト信号に含まれる前記異常に関する情報と対応付けられた前記第２の画質の画像を、前記異常画像記憶手段から読み出して前記監視端末装置に対して送信する。
【００２３】
従って、監視装置から監視端末装置へ画像に関して検出した異常に関する情報が通知されて、監視端末装置では異常に関する情報を出力してその指定をユーザから受け付け、当該指定された異常に関する情報に対応した第２の画質の画像が監視装置から監視端末装置へ送信されて表示されるため、監視対象となる領域を効果的に監視することができる。例えば、監視端末装置から監視装置へのリクエスト信号が有った場合にのみ対応する高画質な第２の画質の画像を送信することにより、伝送する画像のデータ量を小さくすることが可能である。
【００２４】
ここで、異常検出手段により異常を検出するために参照する画像としては、例えば、第１の画質の画像が用いられてもよく、第２の画質の画像が用いられてもよく、他の画質の画像が用いられてもよく、或いは、２つ以上の異なる画質の画像が用いられてもよい。
また、異常検出手段により異常を検出する手法としては、種々な手法が用いられてもよく、例えば、差分法などにより画像処理を行って異常を検出する手法や、各種のセンサによる検知結果に基づいて異常を検出する手法などを用いることができる。
また、異常に関する情報としては、種々な情報が用いられてもよく、例えば、それぞれの異常を一意に特定する情報や、或いは、一意には特定しない付加的な情報を用いることができ、具体例として、異常が検出された日にちや時間を特定する情報や、異常が検出された画像中の位置（画像部分）を特定する情報などを用いることができる。
また、異常に関する情報を出力する態様としては、種々な態様が用いられてもよく、例えば、情報を画面に表示出力する態様や、情報を紙に印刷出力する態様などを用いることができる。
また、画像や情報を記憶する手段としては、例えば、メモリなどの記憶装置を用いて構成することができる。
【００２５】
一構成例として、次のような構成とする。
すなわち、前記監視端末装置の前記画像表示手段は、前記第１の画質の画像を表示する領域と、前記第２の画質の画像を表示する領域と、前記第２の画質の画像中の画像部分を拡大して表示する領域を同一画面中に有する画面に、画像を表示する。
従って、第１の画質の画像と、第２の画質の画像と、第２の画質の画像中の画像部分を拡大したものを同一の画面で表示することにより、監視対象となる領域を効果的に監視することができる。例えば、異常が検出された場合においても、第１の画質の画像或いは第２の画質の画像により監視対象となる領域の全体を見ることを可能とすることができ、これとともに、第２の画質の画像中の画像部分を拡大したものにより異常が検出された画像部分などを詳しく見ることができる。
ここで、第１の画質の画像を表示する領域や、第２の画質の画像を表示する領域や、第２の画質の画像中の画像部分を拡大して表示する領域としては、それぞれ種々な領域が用いられてもよく、例えば、それぞれの領域の大きさや数としては種々な態様が用いられてもよい。
また、第２の画質の画像を表示する態様としては、種々なものを用いることができ、例えば、第２の画質の画像をそのまま表示することや、第２の画質の画像を間引いて（サイズを縮小して）表示させることなどができる。
【００２６】
一構成例として、前記監視装置の前記画像撮像手段は、前記第１の画質の画像を撮像する機能及び前記第２の画質の画像を撮像する機能を有する。
一構成例として、前記監視装置の前記画像撮像手段は、前記リクエスト信号受信手段により前記リクエスト信号が非受信である状態では前記第１の画質の動画像を撮像し、前記リクエスト信号受信手段により前記リクエスト信号が受信された状態では前記第２の画質の静止画像を撮像する。
一構成例として、前記監視装置の前記第１の画像送信手段は、前記第１の画質の動画像をリアルタイムで前記監視端末装置に対して送信する。
一構成例として、前記監視装置の前記第２の画像送信手段は、少なくとも前記異常検出手段により異常が検出された画像部分について前記第２の画質の静止画像を前記監視端末装置に対して送信する。
【００２７】
一構成例として、前記監視装置の前記画像撮像手段は、前記異常検出手段により異常が検出された状態では、前記第２の画質の画像を撮像する。
一構成例として、前記監視装置の前記第２の画像送信手段は、前記異常検出手段により異常が検出された画像部分のみについて前記第２の画質の画像を前記監視端末装置に対して送信する。
一構成例として、前記監視装置の前記第２の画像送信手段は、前記異常検出手段により異常が検出された画像部分については低圧縮率で圧縮して他の画像部分については高圧縮率で圧縮した画像を、前記第２の画質の画像として、前記監視端末装置に対して送信する。
一構成例として、前記監視装置では、前記リクエスト信号受信手段により前記リクエスト信号が非受信である状態において、前記リクエスト信号受信手段により前記リクエスト信号が受信された場合には、１フレーム分の画像について前記リクエスト信号受信手段により前記リクエスト信号が受信された状態として、その後、再び、前記リクエスト信号受信手段により前記リクエスト信号が非受信である状態へ戻る。
【００２８】
一構成例として、前記監視装置の前記画像撮像手段は、前記第１の画質の画像と前記第２の画質の画像との両方を同時に撮像する機能を有する。
一構成例として、前記監視装置の前記第１の画像送信手段は、前記リクエスト信号受信手段により前記リクエスト信号が受信された状態においても、前記画像撮像手段により撮像された画像であって第１の画質の画像を前記監視端末装置に対して送信する。
一構成例として、前記第１の画質の画像と前記第２の画質の画像とは、精細度、画素数、１画素当たりの階調数、圧縮率、符号化方法などの１つ以上の態様が異なる。
一構成例として、前記監視装置の前記画像撮像手段は、例えば常に、前記第２の画質の画像を撮像する。前記監視装置の前記第１の画像送信手段は、前記画像撮像手段により撮像された前記第２の画質の画像を前記第１の画質の画像へ変換して前記監視端末装置に対して送信する。
【００２９】
一構成例として、前記監視装置の前記第２の画像送信手段は、前記第２の画質の画像と共に、当該画像に関して前記異常検出手段により検出された異常に関する情報を前記監視端末装置に対して送信する。前記監視端末装置の前記画像受信手段は、前記監視装置から送信される画像と共に、当該画像に関して検出された前記異常に関する情報を受信する。
一構成例として、前記監視端末装置の異常情報出力手段は、前記異常情報記憶手段に記憶された前記異常に関する情報を、例えばリストにより、一覧表示する。
一構成例として、前記異常に関する情報として画像中で異常が検出された画像部分を特定する情報が用いられ、そして、前記監視端末装置の前記画像表示手段は、前記異常に関する情報に基づいて、前記第２の画質の画像中で異常が検出された画像部分を拡大して表示する。
一構成例として、前記監視端末装置は、前記画像表示手段により表示された前記第２の画質の画像について、拡大して表示する画像部分を特定する指示をユーザから受け付ける拡大表示画像部分特定指示受付手段を備え、そして、前記監視端末装置の前記画像表示手段は、前記拡大表示画像部分特定指示受付手段により指示が受け付けられて特定された画像部分を拡大して表示する。
【発明の効果】
【００３０】
以上説明したように、本発明に係る監視システムの監視端末装置における画像表示方法によると、監視装置では、監視対象となる領域の画像を撮像して監視端末装置に対して送信し、監視端末装置では、監視装置から送信される画像を受信して、受信した画像に含まれる２つ以上の部分の画像を同一の画面に拡大して表示するようにしたため、監視対象となる領域を効果的に監視することができ、例えば、カメラのズームレンズや雲台を操作しなくとも、不審者などの異常に係る２つ以上の監視対象物体についてオペレータが指定した位置の画像などを拡大表示することを可能とすることができる。
また、本発明に係る監視システムの監視端末装置における画像表示方法によると、監視端末装置では、受信した画像に含まれる２つ以上の部分のそれぞれを示す枠を表示し、それぞれの枠で示される部分の画像をそれぞれ異なるフレームに拡大して表示し、それぞれの枠とそれぞれのフレームとの対応関係を視覚的に表示するようにしたため、例えば、監視を行う者などにとって、それぞれの部分とそれぞれの部分の画像との対応関係を視覚的に把握することを容易化することができ、監視作業の効率化を図ることができる。
【００３１】
また、本発明に係る監視システムの監視端末装置における画像表示方法によると、監視端末装置では、受信した画像に含まれる２つ以上の部分のそれぞれを示す枠を表示し、それぞれの枠で示される部分の画像をそれぞれ異なるフレームに拡大して表示し、ユーザによる操作に応じてそれぞれの枠による画像部分の指定を解除するようにしたため、例えば、ユーザは、それぞれの枠により指定する画像部分を自由に変更などして、効果的な監視を行うことができる。
また、本発明に係る監視システムの監視端末装置における画像表示方法によると、監視端末装置では、拡大して表示する画像の位置を初期的に設定することや、当該設定した画像の位置を移動させることや、拡大して表示する画像の拡大率を設定することが可能であり、初期的に或いは移動により決定された位置の画像を設定された拡大率で拡大して表示するようにしたため、例えば、様々な設定で効果的な監視を行うことができる。
また、本発明に係る監視システムの監視端末装置における画像表示方法によると、監視装置では、複数種類の画質の画像を撮像し、監視端末装置では、複数種類の画質の画像のうちで、いずれかの画質の画像を用いて２つ以上の部分の指定を受け付け、これと同一の画質の画像又は異なる画質の画像を用いて当該指定された２つ以上の部分の画像を拡大して表示するようにしたため、例えば、画像部分を指定するために有効な画質の画像が参照されて画像部分の指定が行われるように設定することや、画像部分を拡大表示するために有効な画質の画像が加工されて画像部分の拡大表示が行われるように設定することが可能であり、これにより、効果的な監視を行うことができる。
【発明を実施するための最良の形態】
【００３２】
本発明に係る実施例を図面を参照して説明する。
本実施例では、まず、第１の例に係る監視システムと第２の例に係る監視システムを説明し、続いて、これらの監視システムで行われる拡大表示に係る処理について説明する。
本発明の第１の例に係る監視システムについて説明する。
図１には、本例の監視システムの構成例を示してある。
本例の監視システムは、監視装置１と、監視端末装置２と、ネットワーク３と、監視装置１とネットワーク３とを接続する回線（アクセスライン）４と、監視端末装置２とネットワーク３とを接続する回線（アクセスライン）５を有している。ここで、ネットワーク３としては、種々なものが用いられてもよく、例えば、アナログ電話網や、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）網や、デジタル専用線網や、インターネットなどを用いることができる。
監視装置１は、ハードウエアの構成例として、テレビジョンカメラなどから構成された撮像装置１１と、切替スイッチなどから構成された映像切替部１２と、標準画像符号化部１３と、高精細画像符号化部１４と、異常検出部１５と、通信部１６と、撮像装置制御部１７を備えている。
【００３３】
本例の監視装置１により行われる動作の一例を示す。
撮像装置１１は、監視対象となる領域（監視対象領域）を撮像し、当該撮像により得られた画像（映像）の信号を映像切替部１２へ出力する。
このとき、撮像装置１１では、撮像装置制御部１７から入力される制御信号により、標準画像を撮像する標準画像モードと、高精細画像を撮像する高精細画像モードとのいずれかが選択されて切り替えられる。本例では、標準画像としては例えば横６４０画素×高さ４８０画素の秒３０フレームの画像が用いられ、高精細画像としては例えば横１２８０画素×高さ９６０画素の秒７．５フレームの画像が用いられる。
【００３４】
映像切替部１２は、映像装置制御部１７から入力される制御信号により、撮像装置１１から出力される画像信号の入力先を切り替える。本例では、映像切替部１２は、撮像装置１１に標準画像モードが設定される場合には撮像装置１１の出力端と標準画像符号化部１３の入力端及び異常検出部１５の入力端とが接続されるように信号経路を切り替え、撮像装置１１に高精細画像モードが設定される場合には撮像装置１１の出力端と高精細画像符号化部１４の入力端とが接続されるように信号経路を切り替える。これにより、撮像装置１１が標準画像を撮像した場合には撮像装置１１から出力される標準画像が標準画像符号化部１３及び異常検出部１５へ供給され、撮像装置１１が高精細画像を撮像した場合には撮像装置１１から出力される高精細画像が高精細画像符号化部１４へ供給される。
【００３５】
標準画像符号化部１３は、撮像装置１１から映像切替部１２を介して入力された標準画像の画像信号を、所定の動画像符号化方式によって符号化し、当該符号化したデータを通信部１６へ出力する。ここで、動画像符号化方式としては、種々な方式が用いられてもよく、例えば、ＭＰＥＧ−１や、ＭＰＥＧ−２や、ＭＰＥＧ−４や、モーションＪＰＥＧなどを用いることができる。
異常検出部１５は、撮像装置１１から映像切替部１２を介して入力された標準画像の画像信号を、例えば差分法などによって処理して、監視対象領域内について不審者などの異常を検出する。
【００３６】
ここで、図２及び図３を参照して、差分法を用いた処理の例を説明する。
図２を参照して、異常検出部１５において、差分法によって、撮像装置１１から逐次入力される標準画像について輝度値が変化した領域を検出する処理の一例を示す。
まず、撮像装置１１から逐次入力される標準画像（入力画像）２１と、予め用意した検出すべき対象物体が映っていない画像（基準背景画像）２２との２枚の画像を入力する差分器３１により、画素毎の輝度値の差分を計算して、差分画像２３を取得する。次に、差分画像２３を入力する二値化器３２により、当該差分画像２３の各画素を所定の閾値ｔｈで閾値処理し、値（差分値）が当該閾値ｔｈ未満である画素の画素値を“０”値とし、値（差分値）が当該閾値ｔｈ以上である画素の画素値を“２５５”として、二値化画像２４を取得する。なお、当該閾値ｔｈは、例えば実験的に決定され、一例として、ｔｈ＝２０が設定される。また、本例では、１画素の画素値を８ビットで計算しており、１画素が“０”から“２５５”までの値を有する。図２の例では、二値化画像２４において、入力画像２１に映った人型の物体４１が、差分器３１によって差分が生じた領域４２（入力画像２１の輝度の変化領域）として計算され、二値化器３２によって画素値“２５５”の画像部４３として検出される。
【００３７】
図３を参照して、差分法を応用した監視方式により行われる処理の手順の一例を示す。
まず、差分法による監視方式の処理を実行するための初期化処理として、外部機器や、変数や、画像メモリ等の初期化を行う（ステップＳ１）。次に、異常検出部１５では、撮像装置１１から標準画像を入力し（ステップＳ２）、当該入力画像２１と予め作成しておいた基準背景画像２２との各画素毎の輝度値の差分を計算して差分画像２３を取得し（ステップＳ３）、当該差分画像２３の画素値（差分値）が所定の閾値ｔｈ未満である画素の画素値を“０”として当該閾値ｔｈ以上である画素の画素値を“２５５”として二値化画像２４を取得する（ステップＳ４）。次に、異常検出部１５では、取得した二値化画像２４の中で画素値が“２５５”となる画素のかたまり（変化領域となる画像部４３）を検出して、各々に番号を付けて（ラベリングして）区別できるようにする（ステップＳ５）。次に、異常検出部１５では、番号付けした変化領域のそれぞれに対して、大きさや、面積や、速度や、検出位置等に関する所定の検出条件に基づいてそれぞれの変化領域が当該検出条件に合致するか否かを判定し（ステップＳ６）、検出条件に合致する場合には検出すべき物体が存在するとみなし、検出条件に合致しない場合には検出すべき物体が存在しないとみなす。そして、検出すべき物体が存在するとみなされた場合には、異常検出部１５或いは他の処理部によって、警報や検出情報の表示などが行われ、例えば、検出すべき物体が存在することを、監視モニタや、警告灯や、警告ブザー等の１つ以上を用いて、視覚や、聴覚や、嗅覚や、触覚や、味覚等の刺激として監視員に伝えることが行われる（ステップＳ７）。その後や、或いは、検出すべき物体が存在しないとみなされた場合には、画像入力処理以降の処理が繰り返して行われる（ステップＳ２〜ステップＳ７）。
【００３８】
本例では、異常検出部１５は、差分法などによって検出すべき物体が存在すると判定した場合に、それを不審者などの異常として検出する。
また、異常検出部１５は、異常を検出した場合には、撮像装置制御部１７に対して高精細画像を取得するためのリクエスト信号を送信（出力）し、また、検出した不審者などの異常が存在することを監視端末装置２へ報知するために、不審者などの異常が存在する位置の情報や、検出した時刻の情報や、検出に係る番号の情報などと共に異常の検出結果を通信部１６に対して送信（出力）し、また、高精細画像符号化部１４に対して検出した不審者などの異常が存在する画像範囲を特定する情報を送信（出力）する。
【００３９】
ここで、不審者などの異常が存在する画像範囲は、例えば、図２に示される二値化画像２４中の変化領域となる画像部４３に基づいて算出される。具体的には、まず、当該変化領域となる画像部４３に対して当該変化領域の外接矩形４４を算出し、次に、当該外接矩形４４の上下左右を所定の画素数広げた画像範囲４５を取得して、当該画像範囲４５を不審者などの異常が存在する画像範囲とする。
また、上下左右に広げる当該所定の画素数としては、例えば３０画素などが用いられる。このように外接矩形４４に対して所定の画素数広げる理由は、不審者などの異常が存在するところの画像だけではなくその周りの画像も含めることによって、不審者などの異常がどの部分で検出されたのかや、より広く見るとどのような状態であるのかを視覚的に理解し易くするためである。
【００４０】
なお、本例では、差分法による処理の検出結果に基づいて不審者などの異常が存在する範囲を決定する構成を示したが、他の種々な構成が用いられてもよい。
一例として、監視対象領域に設置した、磁気センサや、赤外線センサや、圧力センサや、熱センサや、振動センサ等の外部センサからの入力に基づいて、画像上における当該外部センサによる検知範囲を特定して、当該検知範囲を不審者などの異常が存在する範囲として決定するようなことができる。この場合、異常検出部１５は、外部センサからの入力に基づいて、異常を検出した場合には、撮像装置制御部１７に対して高精細画像を取得するためのリクエスト信号を送信（出力）することや、検出した不審者などの異常が存在することを監視端末装置２へ報知するために不審者などの異常が存在する位置の情報や、検出した時刻の情報や、検出に係る番号の情報などと共に異常の検出結果を通信部１６に対して送信（出力）することや、高精細画像符号化部１４に対して検出した不審者などの異常が存在する画像範囲を特定する情報を送信（出力）することを行う。
【００４１】
高精細画像符号化部１４は、撮像装置１１から映像切替部１２を介して入力された高精細画像の画像信号を、所定の静止画像符号化方式によって符号化し、当該符号化したデータを通信部１６へ出力する。ここで、静止画像符号化方式としては、種々な方式が用いられてもよく、例えば、ＪＰＥＧや、ＪＰＥＧ２０００などを用いることができる。
また、高精細画像符号化部１４は、例えば、入力される高精細画像から不審者などの異常が存在する画像範囲の部分画像を切り出して、当該部分画像のみを符号化して通信部１６へ出力することも可能である。ここで、当該画像範囲としては、本例では、異常検出部１５から通知される画像範囲が用いられる。また、不審者などの異常が存在する複数の画像範囲が異常検出部１５により検出されて通知された場合には、高精細画像符号化部１４は、これら複数の画像範囲のそれぞれに対応する複数の部分画像を切り出して、これら複数の部分画像を符号化して通信部１６へ出力することも可能である。
【００４２】
また、高精細画像符号化部１４は、異常検出部１５から入力される異常の検出結果の情報を符号化したデータのヘッダ領域に記録して通信部１６へ出力する。
ここで、符号化方式としてＪＰＥＧを用いる場合には、当該ヘッダ領域に記録する情報としては、ＪＰＥＧのヘッダ領域の記録規格であるＥｘｉｆに則ったものを用いることができる。また、符号化方式としてＪＰＥＧ２０００を用いる場合には、例えば、ＪＰＥＧ２０００のＲＯＩ（Ｒｅｇｉｏｎ  Ｏｆ  Ｉｎｔｅｒｅｓｔ）機能によって、不審者などの異常が存在する範囲を低圧縮率で圧縮するとともにそれ以外の範囲を高圧縮率で圧縮することにより、高精細画像のデータ量を効率良く少なくすることができる。
また、異常として検出された変化領域の大きさに基づいて符号化の際の圧縮率を変化させるような構成とすることもでき、この場合、例えば、変化領域が大きい場合には圧縮率を高くし、変化領域が小さい場合には圧縮率を低くする。変化領域が大きい場合には変化領域全体を見るために細部の情報は要らないことが多く、変化領域が小さい場合には変化領域の細部を見るために細部の情報が必要になることが多いと考えられる。
【００４３】
通信部１６は、アクセスライン４を介してネットワーク３と接続されており、これら及びアクセスライン５を介して監視端末装置２と通信することができる。
通信部１６は、標準画像符号化部１３から出力される動画像符号化データや、高精細画像符号化部１４から出力される静止画像符号化データや、異常検出部１５から出力される不審者などの異常の検出結果に関する情報（検出結果データ）を入力し、これらのデータを監視端末装置２に宛ててアクセスライン４を介してネットワーク３へ送信出力する。
また、本例では、監視端末装置２から、高精細画像を取得するためのリクエスト信号が、監視装置１に宛ててアクセスライン５を介してネットワーク３へ送信出力される。
通信部１６は、当該リクエスト信号をネットワーク３からアクセスライン４を介して受信入力し、当該受信入力したリクエスト信号を撮像装置制御部１７へ送信（出力）する。
【００４４】
撮像装置制御部１７は、高精細画像を取得するためのリクエスト信号が異常検出部１５から入力された場合や或いは監視端末装置２から通信部１６を介して入力された場合には、撮像装置１１を制御信号により制御して高精細画像を撮像する高精細画像モードに設定するとともに、映像切替部１２を制御信号により制御して高精細画像符号化部１４側へ切り替える。これにより、異常検出部１５において入力画像中に不審者などの異常を検出した場合や、監視端末装置２から高精細画像を取得するためのリクエスト信号を受けた場合に、撮像装置１１で高精細画像を撮像してその画像を高精細画像符号化部１４へ入力することができる。
また、撮像装置制御部１７は、他の場合には、撮像装置１１を制御信号により制御して標準画像を撮像する標準画像モードに設定するとともに、映像切替部１２を制御信号により制御して標準画像符号化部１３及び異常検出部１５側へ切り替える。
【００４５】
次に、クライアント端末側となる監視端末装置２において行われる処理の例を示す。
監視端末装置２は、例えば、パーソナルコンピュータ（ＰＣ）などを用いて構成されており、監視装置１の撮像装置１１により撮像されて送信されてきた入力画像を表示する処理や、当該監視端末装置２を操作する監視員（オペレータ）により行われる操作に対応した処理などを行う。
図４には、監視端末装置２が有する操作画面５１の表示の一例を示してある。
本例の操作画面５１は、標準画像表示部６１と、高精細画像表示部６２と、１つ以上の（本例では、３つの）高精細画像拡大表示部６３、６４、６５と、シャッタボタン７１と、拡大表示選択ボタン７２、７３、７４と、上下左右に対応した４つの拡大表示位置移動ボタン７５、７６、７７、７８と、拡大率変更ボタン７９を有している。各種のボタン７１〜７９などは、監視員により操作されることが可能である。
【００４６】
標準画像表示部６１には、監視装置１からネットワーク３を介して得られた標準画像の符号化データを再生（復号化）した画像を表示する。本例では、標準画像表示部６１には、標準画像の動画像が表示される。
高精細画像表示部６２には、監視装置１からネットワーク３を介して得られた高精細画像の符号化データを再生（復号化）した画像を、例えば画像の画素を間引くなどして縮小して、表示する。本例では、高精細画像表示部６２には、高精細画像の静止画像が縮小されて表示される。
なお、本例では、監視装置１から監視端末装置２へ送信される標準画像の撮像領域と高精細画像の撮像領域とは同一としてあり、監視端末装置２の操作画面５１の標準画像表示部６１に表示される標準画像の対象領域と高精細画像表示部６２に表示される高精細画像の対象領域とは同一となっている。
【００４７】
高精細画像拡大表示部６３〜６５のそれぞれには、監視装置１からネットワーク３を介して得られた高精細画像の符号化データを再生（復号化）した画像の部分画像を拡大して表示する。
ここで、高精細画像拡大表示部６３〜６５に拡大して表示する部分画像の画像中における位置は、例えば、ＰＣのマウスやジョイスティックなどのポインティングデバイスを用いて高精細画像表示部６２上の位置を指定することにより、指定することが可能であり、指定された位置に対応する高精細画像の部分画像を高精細画像拡大表示部６３〜６５に表示する。図４の例では、高精細画像表示部６２上に３つの表示枠８２、８３、８４が表示されており、それぞれの表示枠８２、８３、８４の内側の位置の部分画像がそれぞれの高精細画像拡大表示部６３、６４、６５に表示されている。
【００４８】
本例では、高精細画像表示部６２には高精細画像を縮小して表示しているが、高精細画像は元々の画素の密度が標準画像と比べて高いため、例えば、高精細画像拡大表示部６３〜６５に表示しても標準画像よりも精細な画像を表示することが可能である。  また、本例では、複数の高精細画像拡大表示部６３、６４、６５が設けられており、それぞれの高精細画像拡大表示部６３、６４、６５に対応して同数の拡大表示選択ボタン７２、７３、７４が設けられている。そして、いずれかの拡大表示選択ボタン７２、７３、７４を操作して表示する高精細画像拡大表示部６３、６４、６５を選択した後に、そこに拡大表示する高精細画像の位置を指定するようにする。
また、本例では、拡大表示する高精細画像の位置（それぞれの表示枠８２、８３、８４の位置）は、拡大表示位置移動ボタン７５〜７８を操作することにより、上下左右の方向で微調整することが可能である。
【００４９】
また、本例では、拡大表示する高精細画像の拡大率は、拡大率変更ボタン７９を操作することにより、変更することが可能である。
また、本例では、それぞれの拡大表示選択ボタン７２、７３、７４と、それぞれの高精細画像拡大表示部６３、６４、６５と、それぞれの表示枠８２、８３、８４との対応関係を操作画面５１上において視覚的に把握することが可能な識別情報が表示されており、具体的には、“１”、“２”、“３”という数字を用いて、互いに対応するものには同じ数字の情報が表示されている。なお、このような識別情報としては、例えば、“Ａ”、“Ｂ”、“Ｃ”などのように、他の種々な情報が用いられてもよい。
【００５０】
シャッタボタン７１は、監視装置１に対して高精細画像を取得するためのリクエスト信号を送信するためのボタンである。本例では、任意の時間（タイミング）にシャッタボタン７１を押すと、高精細画像を取得するためのリクエスト信号が監視端末装置２から監視装置１へ送信され、これにより、高精細画像を取得する処理（マニュアル撮像の処理）を行うことができる。
また、本例では、監視装置１の異常検出部１５が不審者などの異常を検出した場合には、監視装置１からネットワーク３を介して伝送された異常の検出結果に関する情報が監視端末装置２により受信されたことに応じて、異常の発生を報知するためのメッセージ（報知メッセージ）８１を標準画像表示部６１に表示する。このような報知メッセージ８１が表示される場合には、例えば異常が検出されたときなどにおける高精細画像を取得する処理（自動撮像の処理）を行うことができる。
【００５１】
次に、図５を参照して、マニュアル撮像時において監視装置１や監視端末装置２により行われる動作の例を示す。
図５には、時刻ｔ０から時刻（ｔ０＋４）までの間において、監視装置１や監視端末装置２により行われる動作の一例を、概念的に、時間を追って示してある。
まず、時刻ｔ０では、監視装置１は標準画像を撮像しており、撮像された標準画像が動画像符号化されて得られる画像データが伝送信号９１によりネットワーク３を介して監視端末装置２に伝送され、監視端末装置２において当該標準画像の画像１０１が操作画面５１の標準画像表示部６１に表示される。
同様に、時刻（ｔ０＋１）においても、監視装置１は標準画像を撮像しており、撮像された標準画像が動画像符号化されて得られる画像データが伝送信号９２によりネットワーク３を介して監視端末装置２に伝送され、監視端末装置２において当該標準画像の画像１０２が操作画面５１の標準画像表示部６１に表示される。
【００５２】
次に、時刻（ｔ０＋２）においても、同様に、監視装置１は標準画像を撮像しており、撮像された標準画像が動画像符号化されて得られる画像データが伝送信号９３によりネットワーク３を介して監視端末装置２に伝送され、監視端末装置２において当該標準画像の画像１０３が操作画面５１の標準画像表示部６１に表示される。
この時、監視対象領域内には不審者が存在し、監視員が不審者を拡大表示するために操作画面５１のシャッタボタン７１を押下したとすると、高精細画像を取得するためのリクエスト信号が伝送信号９４として監視端末装置２からネットワーク３を介して監視装置１へ伝送される。この場合、監視装置１では、当該リクエスト信号が通信部１６を介して撮像装置制御部１７に到達し、これに応じて高精細画像モードが設定されて、撮像装置１１により高精細画像が撮像されるとともに、映像切替部１２により撮像装置１１で撮像された高精細画像が高精細画像符号化部１４へ入力される状態とされ、そして、高精細画像符号化部１４により入力された高精細画像が静止画像符号化されて、当該符号化された画像データが通信部１６を介してネットワーク３へ送信出力される。
【００５３】
時刻（ｔ０＋３）では、上記のようにしてリクエスト信号に応じて監視装置１から送信出力された高精細画像の符号化データがネットワーク３を介して伝送信号９５により操作端末装置２で受信され、操作端末装置２において当該受信された高精細画像の画像１０４が操作画面５１の高精細画像表示部６２に表示される。このようにして得られた高精細画像については、例えばＰＣのジョイスティックやマウスなどといったポインティングデバイスを用いることにより、任意の位置を高精細画像拡大表示部６３〜６５に自由に拡大表示させることができる。
そして、次の時刻（ｔ０＋４）では、再び標準画像を監視するモードへ移行して、監視装置１は標準画像を撮像し、撮像された標準画像が動画像符号化されて得られる画像データが伝送信号９６によりネットワーク３を介して監視端末装置２に伝送され、監視端末装置２において当該標準画像の画像１０５が操作画面５１の標準画像表示部６１に表示される。
なお、本例では、監視装置１は、マニュアル撮像のためのリクエスト信号を監視端末装置２から受信した場合には、撮像装置制御部１７による制御により、高精細画像モードへ移行して撮像装置１１により１フレーム分の高精細画像を撮像すると、再び標準画像モードへ移行して撮像装置１１により標準画像を撮像する状態へ戻る。
【００５４】
このように、本例では、図５に示される操作画面５１のように、精細度が異なる画像を用いて、監視対象領域の全体を標準画像により常に動画で表示しつつ、異常が発生などした特定の１つ又は複数の箇所を高精細画像により部分的に拡大して静止画で表示することができ、これらを同一の画面に同時に表示することが可能である。
具体的には、操作画面５１では、標準画像表示部６１により監視対象領域の全体の動画像をリアルタイムで常に表示すると同時に、高精細画像表示部６２により監視対象領域の全体の或る時点における高精細静止画像を間引いて表示し、更に、当該高精細静止画像中における１つ又は複数の箇所の部分画像を電子的に拡大して高精細拡大表示部６３〜６５により表示する。本例では、標準画像表示部６１の標準画像により監視対象領域の全体がリアルタイムで常に表示されているため、異常の見逃しを防止することができ、また、拡大表示においては高精細画像を使用しているため拡大しても画像がはっきりと見える。
【００５５】
ここで、本例の高精細画像拡大表示部６３による拡大表示では、例えば、従来のようにカメラのズームレンズや雲台といった機器の制御を伴わず、更に、監視対象領域全体の画像が標準画像表示部６１に表示されるため、従来のようにカメラのズームレンズや雲台を操作して不審者などの異常を監視する場合に生じる死角の問題を解消することができる。また、高精細画像の部分画像を切り出して拡大表示するため、複数の部分画像を切り出すことにより、複数の場所を同時に拡大表示することも可能である。
また、監視端末装置２では、監視装置１から受信される高精細画像の符号化データのヘッダ領域に記録された異常の検出結果に関する情報を用いて、例えば、操作画面５１の高精細画像表示部６２上の表示枠８２、８３、８４の初期位置として、異常が検出された１つ以上の画像範囲を用いることができる。この場合、初期的には、異常の検出結果に基づいて部分拡大画像が高精細画像拡大表示部６３〜６５に表示され、その後は、ユーザである監視員が拡大表示選択ボタン７２〜７４や拡大表示位置移動ボタン７５〜７８や拡大率変更ボタン７９を操作して、部分的に拡大する画像範囲を任意の好みの場所に変えることができる。
【００５６】
また、本例では、ネットワーク３を介して監視装置１で撮像した画像のデータを監視端末装置２へ送信する構成を示したが、他の構成例として、ＵＳＢや、ＩＥＥＥ１３９４などのシリアル通信機能を用いて構成することも可能であり、同様な効果を得ることができる。
また、本例では、カメラ側である監視装置１に異常検出部１５を備えた構成を示したが、例えば、クライアント側である監視端末装置２に異常検出部の機能を備える構成や、監視装置１と監視端末装置２との両方に異常検出部の機能を備える構成とすることも可能である。監視端末装置２に異常検出部の機能が備えられる場合には、例えば、監視端末装置２の異常検出部の機能により発せられるリクエスト信号をネットワーク３を介して監視装置１へ送信することができる。
【００５７】
また、一構成例として、監視装置１の異常検出部１５による検出結果に基づいて不審者などの異常が存在しない領域の画像データ量を削減して送信することが可能であり、この構成では、例えば、不審者などの異常が検出されたときに、当該異常を詳細に監視するために、通常時に送信される標準画像と比べて精細度、画質、画素数、１画素当たりの階調数、圧縮率、符号化方式などの１つ以上の特性が優れている画質の良い画像を送信する場合においても、画像のデータ量を小さくすることができ、画像のデータ量が標準画像と比べて大きくなってしまうことなどを回避することができる。
具体的には、本例では、精細度が異なる２種類の画像（標準画像と高精細画像）を切り替えて監視を行ったが、例えば、このような切替を行わずに、不審者などの異常が検出されていない場合には撮像装置１１により撮像された画像を高圧縮率で符号化して送信する一方、不審者などの異常が検出されている場合には撮像装置１１により撮像された画像を低圧縮率で符号化して送信するように、異常の検出結果に応じて圧縮率を２段階以上で変更して符号化を行うことも可能である。また、圧縮率以外についても、例えば、画像の１画素当たりの階調数を２段階以上で変更して符号化を行うような構成としても、同様な効果を得ることができる。
【００５８】
また、例えば、異常の検出結果に関する情報に基づいて、特定部分のみの高精細な部分画像を送信することや、特定部分のみが低圧縮率で符号化された高精細な全体画像を送信するようなことが可能である。
一例として、画像認識や外部センサによる検出結果を用いて、撮影領域のうちの特定の部分のみを切り出した高精細な部分画像を監視装置１から監視端末装置２へ送信することが可能である。他の例として、画像認識や外部センサによる検出結果を用いて、撮影領域のうちの特定の部分のみを低圧縮率で符号化して、他の領域部分を高圧縮率で符号化した全体画像を監視装置１から監視端末装置２へ送信することが可能である。これらの構成では、監視装置１から監視端末装置２へ伝送する高精細な画像のデータ量を小さくすることができる。
また、不審者などの異常が存在する場合に、画質の良い高精細画像と、それに比べて画質の劣る標準画像とを同時に送信するような構成とすることも可能である。
【００５９】
本例では、映像切換部１２により撮像装置１１が画像を撮像する段階で標準画像を撮像するか或いは高精細画像を撮像するかが決められる構成を示したが、他の構成例として、撮像装置１１は常に高精細画像を撮像して、当該高精細画像の信号が標準画像符号化部１３及び高精細画像符号化部１４の両方に供給され、標準画像符号化部１３は入力される高精細画像の品質（精細度）をダウンコンバートして標準品質の動画像を生成するような構成とすることも可能である。このような構成では、例えば、図５に示される時刻（ｔ０＋３）を含む任意の時刻において、撮像画像を静止画及び動画の両方で同時に出力することが可能である。
【００６０】
一構成例として、監視対象領域を撮像する撮像装置１１と、監視対象領域内で異常が発生した注目領域を検出する異常検出部１５と、異常検出部１５による検出結果に基づいて撮像装置１１で得られた少なくとも２種類の画質の画像のうちの１つ以上の画像を処理する画像処理機能（本例では、標準画像符号化部１３や高精細画像符号化部１４）を用いて、異常検出部１５による検出結果に基づいて撮像した画像の注目領域以外の画像部分のデータ量を低減させることができる。
【００６１】
以上のように、本例の監視システムにおける監視装置１では、監視対象領域を撮像する撮像装置１１と、監視対象領域内の異常に係る注目領域を検出する異常検出部１５と、当該異常検出部１５による検出結果に基づいて撮像装置１１で得られた少なくとも２種類の画質の画像のうちの１つ以上の画像を処理する画像処理部（本例では、標準画像符号化部１３や高精細画像符号化部１４）と、当該画像処理部によって処理された画像を出力する画像出力部（本例では、通信部１６）を設け、監視対象領域内における不審者などの異常を検出して、当該異常を監視することができる。
また、本例の監視装置１では、異常検出部１５は、撮像装置１１で得られた少なくとも２種類の画質の画像のうちの少なくとも１つに基づいて監視対象領域内の注目領域を検出する。
【００６２】
また、例えば、監視対象領域内における所定の変化の有無を検出するセンサを設けて、異常検出部１５が当該センサによる検出結果に基づいて監視対象領域内の注目領域を検出する構成とすることもできる。
また、例えば、画像処理部（例えば、高精細画像符号化部１４）では、異常検出部１５による検出結果に基づいて、処理する画像の範囲を決定することにより、符号化した画像のデータ量を低減させることが可能である。
また、例えば、画像処理部（例えば、高精細画像符号化部１４）では、異常検出部１５による検出結果に基づいて、処理する画像の精細度、画質、画素数、１画素当たりの階調数、圧縮率、符号化方式などの少なくとも１つを決定することにより、符号化した画像のデータ量を低減させることが可能である。
【００６３】
また、本例の監視システムにおける監視端末装置２では、監視員（オペレータ）による操作の内容を入力して当該操作に応じて監視装置１から入力した画像を表示する表示部（本例では、操作画面５１）を設け、監視員の操作に基づいて、監視装置１から入力した画像やその部分画像などを表示部に表示することにより、例えばカメラのズームレンズや雲台を操作しなくとも、監視対象領域内における不審者などの異常を監視することができる。
例えば、本例の監視端末装置２では、少なくとも１つの画像を表示する表示部を設けてあり、監視員の操作に基づいて、監視装置１から入力した少なくとも１つの画像の部分画像などを表示部により表示する。
また、例えば、本例の監視端末装置２では、少なくとも１つの画像を表示する表示部を設けてあり、監視員の操作に基づいて、監視装置１から入力した画像の少なくとも１つの部分画像を表示部により表示する。
【００６４】
従って、本例の監視システムでは、監視装置１で検出された異常に応じて撮像装置１１を制御することにより、適切な画像を取得することができる。また、本例の監視システムでは、例えば高画質な画像によってカメラのズームレンズや雲台を操作しなくとも、不審者などの異常に係る監視対象物体の拡大表示を行うことができ、また、高画質な画像を選択的に遠隔地へ伝送することができ、不審者などの異常の見逃しが少ないシステムや、伝送するデータ量の増加を抑制するシステムを実現することができる。
【００６５】
なお、本例の監視装置１では、撮像装置１１の機能により画像撮像手段が構成されており、通信部１６の機能によりリクエスト信号受信手段が構成されており、標準画像符号化部１３の機能や通信部１６の機能や映像切替部１２の機能や撮像装置制御部１７の機能により第１の画像送信手段が構成されており、高精細画像符号化部１４の機能や通信部１６の機能や映像切替部１２の機能や撮像装置制御部１７の機能により第２の画像送信手段が構成されており、異常検出部１５の機能により異常検出手段が構成されている。
また、本例の監視端末装置２では、監視装置１からの画像を受信する機能により画像受信手段が構成されており、図４に示されるような操作画面５１に画像を表示する機能により画像表示手段が構成されており、シャッタボタン７１の機能によりリクエスト信号送信指示受付手段が構成されており、リクエスト信号を送信する機能によりリクエスト信号送信手段が構成されており、図４に示されるような操作画面５１における拡大表示選択ボタン７２〜７４の機能や拡大表示位置移動ボタン７５〜７８の機能により拡大表示画像部分特定指示受付手段が構成されている。
【００６６】
また、本例の監視端末装置２により表示される操作画面５１では、標準画像表示部６１により第１の画質の画像を表示する領域が構成されており、高精細画像表示部６２により第２の画質の画像を表示する領域が構成されており、高精細画像拡大表示部６３〜６５により第２の画質の画像中の画像部分を拡大して表示する領域が構成されている。
また、本例の監視システムでは、標準画像により比較的に低画質な第１の画質の画像が構成されており、高精細画像により比較的に高画質な第２の画質の画像が構成されている。
【００６７】
本発明の第２の例に係る監視システムについて説明する。
図６には、本例の監視システムの構成例を示してある。
本例の監視システムは、監視装置１１１と、監視端末装置１１２と、ネットワーク１１３と、監視装置１１１とネットワーク１１３とを接続する回線（アクセスライン）１１４と、監視端末装置１１２とネットワーク１１３とを接続する回線（アクセスライン）１１５を有している。
監視装置１１１は、ハードウエアの構成例として、テレビジョンカメラなどから構成された撮像装置１２１と、切替スイッチなどから構成された映像切替部１２２と、標準画像符号化部１２３と、高精細画像符号化部１２４と、異常検出部１２５と、通信部１２６と、撮像装置制御部１２７と、画像記録部１２８と、読み出し制御部１２９を備えている。
ここで、本例の監視システムは、例えば、図１に示される構成において、監視装置１１１に更に画像記録部１２８及び読み出し制御部１２９を備えた構成となっている。監視装置１１１に備えられた他の処理部１２１〜１２７の構成や動作については、図１に示される監視装置１に備えられた対応する処理部１１〜１７の構成や動作と概略的には同様である。
【００６８】
本例の監視装置１１１により行われる動作の一例を示す。なお、図１に示される監視装置１により行われるのと同様な動作については説明を省略する。
本例では、高精細画像符号化部１２４は高精細画像を符号化したデータを画像記録部１２８へ出力し、通信部１２６は画像記録部１２８から符号化データを入力する。また、本例では、通信部１２６は、監視端末装置１１２からネットワーク１１３を介して受信されるリクエスト信号を読み出し制御部１２９へ出力する。
画像記録部１２８は、例えばメモリから構成されており、高精細画像符号化部１２４によって符号化された高精細画像のデータを入力して記録する。これに際して、画像記録部１２８は、当該画像のデータと対応付けて、異常検出部１２５により得られた異常の検出時刻を含む異常の検出結果に関する情報を合わせて記録する。
読み出し制御部１２９は、監視端末装置１１２からネットワーク１１３を介して得られるリクエスト信号を通信部１２６から入力し、当該リクエスト信号に基づいて画像記録部１２８を制御して、当該画像記録部１２８に記録された高精細画像の符号化データを読み出して通信部１２６へ出力する。当該高精細画像の符号化データは、通信部１２６によりネットワーク１１３を介して監視端末装置１１２へ送信される。
【００６９】
次に、図７を参照して、自動撮像時において監視装置１１１や監視端末装置１１２により行われる動作の例を示す。なお、本例の監視端末装置１１２は、図４に示されるのと同様な操作画面５１を用いて画像を表示する。
図７には、時刻ｔ１から時刻（ｔ１＋４）までの間において、監視装置１１１や監視端末装置１１２により行われる動作の一例を、概念的に、時間を追って示してある。また、各時刻ｔ１、（ｔ１＋１）、（ｔ１＋２）、（ｔ１＋３）、（ｔ１＋４）における画像１３１、１３２、１３３、１３４、１３５は、それぞれの時刻において監視装置１１１の撮像装置１２１に入力されるものであり、それぞれの時刻における監視対象領域の様子を映したものである。
なお、図７には、複数の撮像装置１２１や、複数の標準画像符号化部１２３や、高精細画像符号化部１２４や、複数の異常検出部１２５や、画像記録部１２８を示してあり、これらは本例の監視装置１１１に備えられた処理部を表している。
【００７０】
まず、時刻ｔ１では、撮像装置１２１は標準画像モードで画像１３１を撮像し、撮像された画像は標準画像符号化部１２３及び異常検出部１２５に入力される。標準画像符号化部１２３は入力された画像を符号化し、符号化された画像は通信部１２６及びネットワーク１１３を介して監視端末装置１１２へ送信され、当該画像は監視端末装置１１２の標準画像表示部６１に画像１４１のように表示される。また、異常検出部１２５では、差分法などの手法によって監視対象領域内における不審者などの異常の検出を行う。ここでは、画像１４１中には不審者などの異常が存在しないため、異常検出部１２５では不審者などの異常は検出されない。
【００７１】
次に、時刻（ｔ１＋１）では、撮像装置１２１は標準画像モードで画像１３２を撮像し、撮像された画像は標準画像符号化部１２３及び異常検出部１２５に入力される。標準画像符号化部１２３は入力された画像を符号化し、符号化された画像は通信部１２６及びネットワーク１１３を介して監視端末装置１１２へ送信され、当該画像は監視端末装置１１２の標準画像表示部６１に画像１４２のように表示される。また、当該画像１４２には不審者が映っているため、異常検出部１２５では、監視対象領域内に不審者が存在することを異常として検出し、これに応じて、撮像装置制御部１２７を介して撮像装置１２１により高精細画像を取得させるように制御する。また、異常検出部１２５では、不審者などの異常の検出位置や検出時刻を含む検出結果に関する情報を高精細画像符号化部１２４へ出力する。また、異常検出部１２５による異常の検出結果に関する情報が、通信部１２６やネットワーク１１３を介して、監視端末装置１１２へ伝送信号１５１により伝送される。すると、監視端末装置１１２では、監視装置１１１から異常の発生を通知する情報を受信したことに応じて、操作画面５１の標準画像表示部６１中に報知メッセージ８１が表示される。
【００７２】
次に、時刻（ｔ１＋２）では、撮像装置１２１は時刻（ｔ１＋１）における異常検出部１２５による検出結果に応じて高精細画像モードで画像１３３を撮像し、撮像された画像は高精細画像符号化部１２４に入力される。高精細画像符号化部１２４は入力された高精細画像を符号化し、符号化された画像は異常検出部１２５からの検出結果情報と共に画像記録部１２８に記録される。ここで、画像の符号化としては、例えば、異常の検出結果に基づいて、高精細画像の部分画像を符号化することが行われてもよく、或いは、ＪＰＥＧ２０００のＲＯＩ機能のように部分的に圧縮率を変化させるような手法による符号化が行われてもよい。また、監視端末装置１１２から高精細画像を取得するリクエスト信号１５２が送信されて監視装置１１１の読み出し制御部１２９に到達すると、当該リクエスト信号に基づいて、画像記録部１２８に記録された高精細画像が読み出し制御部１２９により読み出されて通信部１２６やネットワーク１１３を介して伝送信号１５３により監視端末装置１１２へ送信される。当該高精細画像は、監視端末装置２において、操作画面５１の高精細画像表示部６２に表示される。
【００７３】
ここで、本例では、監視端末装置１１２から送信されるリクエスト信号には時刻を特定する情報（時刻特定情報）が含まれており、この時刻は異常検出部１２５により不審者などの異常を検出した時刻に対応するものである。読み出し制御部１２９は、入力されたリクエスト信号に含まれる時刻特定情報と、画像記録部１２８に記録された画像に付された検出時刻を特定する情報とを比較して、リクエスト信号に含まれる時刻情報により特定される時刻と一致する時刻或いは最も近い時刻を検出時刻とする画像を画像記録部１２８から読み出して通信部１２６へ出力する。これにより、画像記録部１２８に複数の高精細画像が記録されている場合においても、リクエスト信号に基づいて、所望の高精細画像を読み出すことができる。
【００７４】
また、本例の監視端末装置１１２では、監視装置１１１から受信した異常の検出結果に関する情報をメモリに記憶しておき、当該情報に基づいて、過去の異常の検出時刻を特定する情報を一覧などにより表示することが可能であり、このように表示された異常の検出時刻の中から監視員は任意の検出時刻を選択して当該検出時刻を特定する情報をリクエスト信号に含めて監視装置１１１へ送信することができる。
また、本例の監視端末装置１１２では、監視員から異常の検出時刻を特定する情報を受け付けたときや、或いは、このような時刻特定情報とシャッタボタン７１の押下との両方を受け付けたときなどに、受け付けた時刻特定情報を含むリクエスト信号を監視装置１１１に対して送信する。なお、例えば、時刻特定情報が受け付けられずにシャッタボタン７１が押下された場合には、最新の異常に係る高精細画像を取得するためのリクエスト信号を送信するような構成を用いることも可能である。
【００７５】
次に、時刻（ｔ１＋３）では、撮像装置１２１は標準画像モードで画像１３４を撮像し、撮像された画像は標準画像符号化部１２３及び異常検出部１２５に入力される。標準画像符号化部１２３は入力された画像を符号化し、符号化された画像は通信部１２６及びネットワーク１１３を介して監視端末装置１１２へ送信され、当該画像は監視端末装置１１２の標準画像表示部６１に画像１４３のように表示される。また、異常検出部１２５では、差分法などの手法によって監視対象領域内における不審者などの異常の検出を行う。ここでは、画像１４３中には不審者などの異常が存在しないため、異常検出部１２５では不審者などの異常は検出されない。
同様に、時刻（ｔ１＋４）においても、撮像される画像１３５には不審者などの異常が存在しないため、符号化された標準画像だけが監視端末装置２へ送信されて、画像１４４のように表示される。
【００７６】
なお、本例では、監視装置１１１は、異常検出部１２５から出力されるリクエスト信号を撮像装置制御部１２７により受信した場合には、撮像装置制御部１２７による制御により、高精細画像モードへ移行して撮像装置１２１により１フレーム分の高精細画像を撮像すると、再び標準画像モードへ移行して撮像装置１２１により標準画像を撮像する状態へ戻る。
【００７７】
本例では、標準画像としては常に最新の画像が監視装置１１１から監視端末装置１１２へ送信され、高精細画像としてはリクエスト信号に含まれた不審者などの異常の検出時刻を示す情報に基づいて画像記録部１２８から選択的に読み出されて監視端末装置２により受信することができる。このため、高精細の画像を選択的に遠隔地へ伝送することができ、高精細画像を伝送する際に伝送するデータ量の増加を抑制することが可能となる。
【００７８】
以上のように、本例の監視システムにおける監視装置１１１では、画像符号化機能（本例では、高精細画像符号化部１２４）によって符号化された画像を記録する画像記録部１２８を備えた。
また、本例の監視システムにおける監視端末装置１１２では、監視員（オペレータ）による操作の内容を入力して当該操作に応じて監視装置１１１から入力した画像を表示する表示部（本例では、操作画面５１）を設け、監視員の操作に基づいて、監視装置１１１の画像記録部１２８に記録した画像やその部分画像などを表示部に表示することにより、例えばカメラのズームレンズや雲台を操作しなくとも、監視対象領域内における不審者などの異常を監視することができる。
【００７９】
例えば、本例の監視端末装置１１２では、少なくとも１つの画像を表示する表示部を設けてあり、監視員の操作に基づいて、監視装置１１１の画像記録部１２８に記録した少なくとも１つの画像の部分画像などを表示部により表示する。
また、例えば、本例の監視端末装置１１２では、少なくとも１つの画像を表示する表示部を設け、監視員の操作に基づいて、監視装置１１１の画像記録部１２８に記録した画像の少なくとも１つの部分画像を表示部により表示する。
【００８０】
また、本例では、監視装置１１１の画像記録部１２８は、１つ又は複数の画像を当該画像を特定する所定の情報（本例では、時刻の情報）を付加して記録する。また、監視端末装置１１２は、例えば、監視装置１１１の画像記録部１２８に記録された画像を特定する情報の一覧を表示する一覧表示機能を有しており、監視員の操作に基づいて選択された画像を特定する情報（画像特定情報）を監視装置１１１へ送信する。監視装置１１１では監視端末装置１１２から入力される画像特定情報に対応する画像を画像記録部１２８に記録した画像の中から読み出して監視端末装置１１２へ送信し、当該送信された画像が監視端末装置１１２により受信されて表示部に表示される。
このように、本例では、監視装置１１１は画像処理部（本例では、高精細画像符号化部１２４）によって処理された画像を画像記録部１２８により記録し、監視端末装置１１２は監視員の操作を入力して当該操作に基づいて監視装置１１１の画像記録部１２８に記録した画像やその部分画像などを表示することにより、例えばカメラのズームレンズや雲台を操作しなくとも、監視対象領域内における不審者などの異常を監視することができる。
【００８１】
ここで、本例では、カメラ側である監視装置１１１に異常検出部１２５を備えた構成を示したが、例えば、クライアント側である監視端末装置１１２に異常検出部の機能を備える構成や、監視装置１１１と監視端末装置１１２との両方に異常検出部の機能を備える構成とすることも可能である。監視端末装置１１２に異常検出部の機能が備えられる場合には、例えば、監視端末装置１１２の異常検出部の機能により発せられるリクエスト信号をネットワーク１１３を介して監視装置１１１へ送信することができ、一例として、自動撮像時において、クライアント側の監視員がシャッタボタン７１を押すことなどをしなくとも、高精細画像のリクエスト信号を自動的にクライアント側の監視端末装置１１２からカメラ側の監視装置１１１へ送信することができる。
【００８２】
また、本例では、自動撮像時において、クライアント側である監視端末装置１１２の監視員がシャッタボタン７１を押すことなどにより、クライアント側からカメラ側である監視装置１１１へリクエスト信号が送信される。本例では、カメラ側である監視装置１１１において自動撮像の処理が実行されている場合においても、クライアント側からのリクエスト信号が無い限り、カメラ側から自動撮像処理で取得した高精細画像をクライアント側へ送信することはせずに、高精細画像の送信はあくまでクライアント側からのリクエストに基づく。このように、例えば、マニュアル撮像の場合に限らず、自動撮像の場合においても、クライアント側からリクエストがあった時だけ監視装置１１１から高精細画像を送信することにより、伝送するデータ量の増加を抑制することが可能である。なお、自動撮像時において、監視装置１１１から監視端末装置１１２へ高精細画像を自動的に送信するような構成とすることも可能である。
【００８３】
また、本例では、クライアント側である監視端末装置１１２において、異常が検知された日時などのリストが表示され、当該リストの中から参照を希望する日時などをユーザにより指定することが行われ、この場合に、例えば、図４に示されるような操作画面５１に、マニュアル撮像用のシャッタボタン７１とは別に自動録画画像取得ボタンが用意されて、当該自動録画画像取得ボタンがユーザにより押されると監視装置１１１の画像記録部１２８に記録された画像を取得するための処理が行われるような構成を用いることもできる。
また、例えば、図４に示される操作画面５１において、標準画像表示部６１に異常が検出されたことを示す報知メッセージ８１が表示されているときにユーザによりシャッタボタン７１が押されると、これにより発せられるリクエスト信号（ここで、リクエスト信号Ａと言う）に応じて、自動撮像による高精細画像を監視装置１１１から取得することができ、この場合、例えば、シャッタボタン７１が押されたときにおける最新の異常検知日時の画像が監視装置１１１から監視端末装置１１２へ送信される。なお、このような画像取得は、例えば図１に示されるような監視システムにおいても可能であり、一例として、監視装置１では、最新の高精細画像については高精細画像符号化部１４で一時的に記憶していて、監視端末装置２から前記リクエスト信号Ａを受信した場合には、高精細画像符号化部１４内の最新の高精細画像を読み出して監視端末装置２へ配信するような構成を用いることができる。
【００８４】
なお、本例の監視装置１１１では、画像記録部１２８の機能により異常画像記憶手段が構成されており、通信部１２６の機能や読み出し制御部１２９の機能により第2の画像送信手段が構成されている。
また、本例の監視端末装置１１２では、監視装置１１１から受信した異常に関する日時を特定する情報を記憶する機能により異常情報記憶手段が構成されており、このような情報をリスト表示する機能により異常情報出力手段が構成されている。
【００８５】
次に、上記した第１の例及び第２の例のような監視システムで行われる拡大表示に係る処理について詳しく説明する。
図４に示される監視端末装置２、１１２の操作画面５１を参照して、部分画像の拡大に関する動作の例を示す。
高精細画像表示部６２には、縮小された高精細静止画像及び拡大表示する部分画像の位置を示す表示枠８２〜８４が表示される。これらの表示枠８２〜８４で示されるそれぞれの部分画像がそれぞれの高精細画像拡大表示部６３〜６５で拡大表示される。
ここで、本例のように、それぞれの表示枠８２、８３、８４がそれぞれの拡大表示選択ボタン７２、７３、７４に対応していることに応じて、各表示枠８２、８３、８４の枠内又は枠外に各拡大表示選択ボタン７２、７３、７４に記載されている文字（例えば、数字や記号など）を表記して、それぞれ対応していることを明示的にしてもよい。同様に、本例のように、それぞれの表示枠８２、８３、８４がそれぞれの高精細画像拡大表示部６３、６４、６５に対応していることを明示的にしてもよい。
【００８６】
また、文字を表記して対応関係を明示的にする以外にも、それぞれの表示枠８２、８３、８４の色をそれぞれの拡大表示選択ボタン７２、７３、７４の外枠の色や、それぞれの高精細画像拡大表示部６３、６４、６５の枠の色と一致させて、対応関係を明示的にしても良い。例えば、表示枠８２の色を青色に設定して拡大表示選択ボタン７２の外枠の色と高精細画像拡大表示部６３の外枠の色を青色に設定し、表示枠８３の色を黄色に設定して拡大表示選択ボタン７３の外枠の色と高精細画像拡大表示部６４の外枠の色を黄色に設定し、表示枠８４の色を緑色に設定して拡大表示選択ボタン７４の外枠の色と高精細画像拡大表示部６５の外枠の色を緑色に設定する。
なお、本例では、高精細画像は、高精細画像表示部６２に縮小して表示されるが、元々画質の低い標準画像と比べて精細度、画質、画素数、１画素当たりの階調数、圧縮率などの１つ以上が優れているため、高精細画像拡大表示部６３〜６５に表示しても、標準画像よりも精細な画像を表示することができる。
【００８７】
高精細画像拡大表示部６３〜６５に拡大表示する部分画像の位置の変更方法の一例を示す。
まず、例えば拡大表示選択ボタン７２、７３、７４から１つのボタンをクリック（例えば、マウスの左ボタンを押して放す操作）して選択することにより、拡大表示する部分画像の位置を示す表示枠８２、８３、８４のうちの対応するものが有効になる。
これに続くオペレータによる操作は、有効になった表示枠に対して行なわれる。有効になった表示枠は、例えば表示枠の色を通常時（選択されていないとき）とは変えることで、有効になっていない表示枠と区別できるようになっている。
一例として、拡大表示選択ボタン７２をクリックすると、対応する表示枠８２が赤色となり、当該表示枠８２に対してオペレータによる操作が可能な状態となる。このとき、他の色（例えば、黒色など）の表示枠８３、８４に対するオペレータによる操作はできない。また、拡大表示選択ボタン７２が選択されている状態で当該拡大表示選択ボタン７２を再度クリックした場合及び他の拡大表示選択ボタン７３、７４をクリックした場合には、有効であった表示枠８２の有効状態が解除されて、当該表示枠８２が他の色（例えば、黒色など）となりオペレータによる操作ができなくなる。
【００８８】
各表示枠８２、８３、８４の移動は、上下左右に対応した拡大表示位置移動ボタン７５〜７８で行う。上方向に対応した拡大表示位置移動ボタン７５をクリックすると上方向へ、下方向に対応した拡大表示位置移動ボタン７６をクリックすると下方向へ、左方向に対応した拡大表示位置移動ボタン７７をクリックすると左方向へ、右方向に対応した拡大表示位置移動ボタン７８をクリックすると右方向へ、選択された表示枠が１ドット分移動し、それぞれのボタンを押し続けている場合にはそれぞれの方向へ連続的に移動する。
また、拡大表示位置移動ボタン７５〜７８としては、例えば、キーボードの上下左右のキーと連動するような構成とすることも可能である。
各表示枠８２〜８４を移動すると、当該移動に応じて、各高精細画像拡大表示部６３〜６５に映される部分画像が更新される。
【００８９】
次に、高精細画像拡大表示部６３〜６５に表示された部分画像の位置の微調整について説明する。
高精細画像拡大表示部６３、６４、６５のいずれかをクリックして選択することにより、選択された高精細画像拡大表示部に表示される部分画像の位置の微調整が有効になる。
例えば、高精細画像拡大表示部６３の任意の場所をクリックすると、当該高精細画像拡大表示部６３の外枠が赤く縁取られて、当該高精細画像拡大表示部６３に表示される部分画像の位置の微調整が可能な状態となる。このとき、他の高精細画像拡大表示部６４、６５に表示される部分画像の位置の微調整はできない状態となり、また、拡大表示選択ボタンのいずれかが選択されている場合には自動的に解除される。
【００９０】
また、例えば、高精細画像拡大表示部６３が選択されている状態で、当該高精細画像拡大表示部６３及び拡大表示選択ボタン７２〜７４以外の場所をクリックした場合には、選択状態が解除されて、当該高精細画像拡大表示部６３の外枠の縁取りが消去されて、当該高精細画像拡大表示部６３に表示される部分画像の位置の微調整が不可能となる。
なお、部分画像の位置の微調整は、拡大表示位置移動ボタン７５〜７８で行う。クリックすると、拡大表示位置移動ボタン７５で上方向へ、拡大表示位置移動ボタン７６で下方向へ、拡大表示位置移動ボタン７７で左方向へ、拡大表示位置移動ボタン７８で右方向へ、１ドット分画像が移動し、ボタンを押し続けることで連続的に移動させることができる。
【００９１】
図８には、監視端末装置２、１１２に設けられる操作ボタンの一例として、拡大表示位置を移動させるためのボタン（拡大表示位置移動ボタン）１６１の他の構成例を示してある。なお、図８では、８方向のボタンのうちの１つのみに符号１６１を付してあり、他は省略してある。
図８に示されるように、部分画像の位置を変更する拡大表示位置移動ボタンとして、上下左右及び斜め４方向の計８方向のボタンを設けることにより、斜め方向への表示枠の移動を可能とすることもできる。
また、他の構成例として、拡大表示位置移動ボタンを設けずに、高精細画像表示部６２又は高精細画像拡大表示部６３〜６５内をマウスでクリックすることにより、クリックした位置を高精細画像表示部６２で表示することや、クリックした位置が中心になるように高精細画像拡大表示部６３〜６５に表示される画像を更新するようなことも可能である。
また、他の構成例として、マウスをドラッグ（例えば、マウスの左ボタンを押した状態でマウスを動かす動作）すると、マウスの動きに応じて、高精細画像について拡大表示する部分画像の位置が連続的に移動するような構成とすることもできる。
【００９２】
次に、拡大表示する部分画像の拡大率を変更する方法の一例について説明する。
部分画像の拡大率の変更は、図４に示される操作画面５１における拡大率変更ボタン７９で行う。
表示枠８２、８３、８４又は高精細画像拡大表示部６３、６４、６５のいずれかが選択されている場合に、これにより選択されている画像の拡大率を変更することが可能である。
本例では、操作画面５１において、拡大率変更ボタン７９の右側にある逆三角形のボタンをクリックすると、図９に示されるように拡大率の一覧が表示され、この一覧から拡大率を選択して変更を行うことができる。
図９には、拡大率変更ボタン１７１（本例では、図４に示される拡大率変更ボタン７９）の一例及び拡大率の一覧の一例を示してある。
拡大率変更ボタン７９で拡大率を変更した場合には、画像の中心点をそのままにして、選択されている画像の表示枠８２〜８４のサイズ及び選択されている高精細画像拡大表示部６３〜６５に表示される高精細画像の部分画像の範囲が変更される。
【００９３】
ここで、画像の拡大・圧縮方法について説明する。
画像の拡大・圧縮方法としては、アフィン変換と呼ばれる方法が従来より広く使用されている。アフィン変換は式１で表され、或る画素（ｘ１、ｙ１）が変換操作によって画素（ｘ２、ｙ２）へ変換されることを意味している。
また、拡大や縮小は、式２のような条件で実現される。ここで、Ｓｘ、Ｓｙはそれぞれｘ方向、ｙ方向の拡大率を表しており、Ｓｘ又はＳｙが１．０以上である場合には拡大となり、１．０未満である場合には縮小となる。
【００９４】
【数１】
2006033380.tif 000003
【００９５】
【数２】
2006033380.tif 000004
【００９６】
拡大表示する部分画像の拡大率を変更する別の方法の一例について説明する。
表示枠８２、８３、８４のいずれかが選択されており高精細画像表示部６２内でマウスを右クリックしたとき、又は高精細画像拡大表示部６３、６４、６５のいずれかが選択されており当該選択された高精細画像拡大表示部６３、６４、６５内でマウスを右クリックしたときには、拡大率変更ポップアップメニューが表示される。
図１０には、拡大率変更ポップアップメニュー１８１の一例及びポインタ１８２の一例を示してある。
本例の拡大率変更ポップアップメニュー１８１には予め用意された全ての拡大率の値が表示され、１つの拡大率の値を選択することによって、選択された拡大率の値に応じて選択されている表示枠８２〜８４及び部分画像の範囲が更新され、更新された部分画像が選択されている高精細画像拡大表示部６３〜６５に拡大表示される。
【００９７】
拡大表示する部分画像の拡大率を変更する別の方法の一例について説明する。
表示枠８２、８３、８４のいずれかが選択されており高精細画像表示部６２内でマウスのホイールを回転したとき、又は高精細画像拡大表示部６３、６４、６５のいずれかが選択されており当該選択された高精細画像拡大表示部６３、６４、６５内でマウスのホイールを回転したときには、拡大率が変更される。例えば、予め複数の拡大率の値が用意されており、前にホイールを回転したときには現在の拡大率の値より１段階大きい拡大率の値へ選択されている表示枠８２〜８４及び部分画像の範囲が更新され、後ろにホイールを回転したときには現在の拡大率の値より１段階小さい拡大率の値へ選択されている表示枠８２〜８４及び部分画像の範囲が更新され、更新された部分画像が選択されている高精細画像拡大表示部６３〜６５に拡大表示される。
【００９８】
なお、前記のように予め複数の拡大率の値を用意する方法のほかに、マウスのホイールの回転量に応じて拡大率の値を変更するような構成とすることもできる。この場合、例えば、ホイールの最低回転角度（例えば、１５度（°））を１ステップとし、１ステップにつき５パーセント（％）の拡大率の変更を行うようにする。具体例として、ホイールを前に６ステップ（９０度）回転した場合には拡大率を３０パーセント増し、ホイールを後ろに１０ステップ（１５０度）回転した場合には拡大率を５０パーセント減らす。
また、前記のように予め複数の拡大率の値を用意して操作者により拡大率の値を選択させる方法のほかに、各表示枠８２、８３、８４の枠の大きさをマウスのドラッグにより広げたり縮めたりするなどして変更できるようにし、各表示枠８２、８３、８４の大きさの変更に応じて拡大率の値を変更するような構成とすることもできる。
【００９９】
また、本例の操作画面５１では、高精細画像拡大表示部６３〜６５と拡大表示選択ボタン７２〜７４と表示枠８２〜８４はそれぞれ３つずつ設けられており、数に限りがある。このため、本例では、ユーザによる操作などにより既に３つの表示枠８２〜８４を使用して３箇所の部分領域が指定されているときに、ユーザが更に他の部分領域を指定する場合には、既に指定済みの表示枠８２〜８４の中から拡大表示が不要な部分領域に対応する表示枠をユーザが自ら選択して指定を解除して、新たな指定を行う。具体的には、３つの拡大表示選択ボタン７２〜７４の中から拡大表示が不要となった部分領域（表示枠８２〜８４）に対応するいずれかのボタンをユーザが選択して押すことにより当該ボタンに対応する表示枠の指定を解除し、その後、当該解除された表示枠を新たに指定する部分領域の位置へ移動させて、新たな部分領域を指定する。
このように、本例では、各拡大表示選択ボタン７２〜７４は、各高精細画像拡大表示部６３〜６５に表示させる画像の部分領域を指定するための各表示枠８２〜８４の解除をユーザの指定により任意に行うことが可能な機能を有している。
【０１００】
図１１には、監視端末装置２、１１２の操作画面５１の一例を示してある。
本例の操作画面５１では、例えば、図４に示されるものと比べて、表示される画像が異なっており、各部分については同一の符号を付してある。
高精細画像表示部６２にある表示枠８２、８３、８４で示されるそれぞれの部分画像が高精細画像拡大表示部６３、６４、６５で拡大表示される。高精細画像拡大表示部６３には自動車全体の画像が表示されており、高精細画像拡大表示部６４には人物のバストショットの画像が表示されており、高精細画像拡大表示部６５には前記と異なる人物のバストショットの画像が表示されている。このように、各表示枠８２〜８４（各高精細画像拡大表示部６３〜６５）の画像毎に拡大率を変更することにより、監視する対象物体毎に最適な拡大画像を得ることができる。
【０１０１】
図１２には、監視端末装置２、１１２の操作画面５１の別の一例を示してある。
本例の操作画面５１では、例えば、図４に示されるものと比べて、表示される画像が異なっており、各部分については同一の符号を付してある。
高精細画像拡大表示部６３には人物全体の画像が表示されており、高精細画像拡大表示部６４には当該人物のバストショットの画像が表示されており、高精細画像拡大表示部６５には当該人物のアップショットの画像が表示されている。このように、１つの対象物体を異なる拡大率で表示することにより、対象物体を的確に捕らえることが可能になる。
【０１０２】
次に、図４に示される監視端末装置１１２の操作画面５１を参照して、自動撮像における監視端末装置１１２の動作の一例について説明する。
自動撮像が実施された場合には、監視端末装置１１２では、撮影した画像について縮小された高精細静止画像が高精細画像表示部６２に自動的に表示される。このとき、異常検出部１２５からの検出結果に基づいて、拡大表示する部分画像の位置を示す表示枠８２〜８４が自動的に表示され、各表示枠８２〜８４で示されるそれぞれの部分画像が各高精細画像拡大表示部６３〜６５に自動的に表示される。
このようにして画像が表示された後には、各高精細画像拡大表示部６３〜６５に拡大表示される部分画像について、拡大表示選択ボタン７２〜７４により選択を行うことができ、拡大表示位置移動ボタン７５〜７８により位置の移動を行うことができ、拡大率変更ボタン７９により拡大率の変更を行うことができる。
【０１０３】
次に、図１３を参照して、撮像により取得される画像と操作画面５１上の各表示部６１〜６５により表示される画像との画素数の対応の一例を示す。
本例では、撮像装置１９１（第１の例に係る撮像装置１１や第２の例に係る撮像装置１２１）により、横６４０画素×高さ４８０画素の標準画像（動画）１９２或いは横１２８０画素×高さ９６０画素の高精細画像（静止画）１９３が取得される。また、高精細画像１９３において、表示枠８２〜８４により、拡大させる画像部分１９４が選択される。
そして、取得された標準画像１９２はそのままの画素数で横６４０画素×高さ４８０画素の標準画像表示部６１の表示領域に表示され、取得された高精細画像１９３は画素の間引きなどによって縮小されて横４８０画素×高さ３６０画素の高精細画像表示部６２の表示領域に表示され、高精細画像１９３の一部に相当する画像部分１９４は切り出されて電子的に拡大されて横３２０画素×高さ２４０画素の高精細画像拡大表示部６３（或いは、高精細画像拡大表示部６４、６５）の表示領域に表示される。
【０１０４】
ここで、本例では、図４や図１１や図１２に示されるように、操作画面５１には、標準画像に基づいた動画の表示領域である標準画像表示部６１と、高精細画像に基づいた静止画（間引いた全体画像）の表示領域である高精細画像表示部６２と、高精細画像に基づいて拡大した静止画（拡大した部分画像）の表示領域である高精細画像拡大表示部６３〜６５が設けられており、高精細画像表示部６２には部分領域を指定するための表示枠８２〜８４が表示される。
これについて、他の構成例を示す。
【０１０５】
他の構成例として、標準画像表示部６１に表示枠（表示枠８２〜８４と同様なもの）を表示して、当該表示枠により標準画像（例えば、動画）上で部分領域の指定を行って、当該表示枠に対応する部分領域の画像を高精細画像から切り出して高精細画像拡大表示部６３〜６５に拡大表示する構成とすることが可能である。
また、他の構成例として、標準画像表示部６１に表示枠（表示枠８２〜８４と同様なもの）を表示して、当該表示枠により標準画像（例えば、動画）上で部分領域の指定を行って、当該表示枠に対応する部分領域の画像を標準画像から切り出して高精細画像拡大表示部６３〜６５に拡大表示する構成とすることが可能である。なお、本例では、秒７．５フレームの高精細画像が取得されるが、例えば、秒３０フレームなどのように種々な高精細画像を取得する構成が用いられてもよい。
また、表示枠（表示枠８２〜８４と同様なもの）の設定としては、例えば、ユーザにより手動でそれぞれの表示枠を設定する態様が用いられてもよく、或いは、画像処理による物体検知の結果に基づいて自動的にそれぞれの表示枠の位置を決定してそれぞれの高精細画像拡大表示部６３〜６５に拡大表示する態様や、外部センサによる検知の結果に基づいて自動的にそれぞれの表示枠の位置を決定してそれぞれの高精細画像拡大表示部６３〜６５に拡大表示する態様などが用いられてもよい。
【０１０６】
以上のように、本例の監視システムでは、監視対象領域を撮像する撮像装置１１、１２１を有する監視装置１、１１１と、画像を表示する表示装置を有する監視端末装置２、１１２とから構成され、監視装置１、１１１の撮像装置１１、１２１により得られた画像を所定の拡大率で拡大する画像拡大機能を設け、表示装置は２つ以上の拡大した画像を表示するようにして、これにより、監視対象領域内における不審者などの異常を監視することができる。
また、本例の監視システムでは、オペレータによる操作に基づいて監視装置１、１１１の撮像装置１１、１２１から入力された画像のうちの２つ以上の画像を選択する画像選択機能を設け、画像拡大機能は選択された画像を所定の拡大率で拡大するようにして、これにより、監視対象領域内における不審者などの異常を監視することができる。
【０１０７】
また、本例の監視システムでは、オペレータによる操作に基づいて画像の位置或いは拡大率の少なくとも１つを決定する画像拡大設定機能を設け、画像拡大機能は当該画像拡大設定機能によって決定された画像の位置や拡大率に基づいて画像を拡大するようにして、これにより、監視対象領域内における不審者などの異常を監視することができる。
また、本例の監視システムでは、監視対象領域内における所定の変化の有無を検出する検出機能（本例では、異常検出部１５、１２５）を監視装置１、１１１や監視端末装置２、１１２に設け、画像選択機能は当該検出機能によって決定（検出）された画像の位置及び拡大率に基づいて画像を拡大するようにして、これにより、監視対象領域内における不審者などの異常を監視することができる。また、本例の監視システムでは、画像選択機能は、検出機能によって検出された画像の中から、オペレータによる操作に基づいて２つ以上の画像を選択する。
【０１０８】
また、本例の監視システムでは、画像拡大設定機能は、検出機能による検出結果或いはオペレータによる操作の少なくともいずれかに基づいて、画像の位置及び拡大率を決定するようにして、これにより、監視対象領域内における不審者などの異常を適切な位置及び拡大率で表示される拡大画像を用いて監視することができる。
また、本例の監視システムでは、画像拡大設定機能は、オペレータによる操作に基づいて、ポップアップメニューから拡大率の値を決定するようにして、これにより、監視対象領域内における不審者などの異常を適切な拡大率で表示される画像を用いて監視することができる。
【０１０９】
また、本例の監視システムでは、画像拡大設定機能は、オペレータによる操作に基づいて、プルダウンメニューから拡大率の値を決定するようにして、これにより、監視対象領域内における不審者などの異常を適切な拡大率で表示される画像を用いて監視することができる。
また、本例の監視システムでは、画像拡大設定機能は、オペレータによる操作に基づいたボタン操作により、拡大表示する画像の位置を決定するようにして、これにより、監視対象領域内における不審者などの異常を適切な位置の画像を用いて監視することができる。
また、本例の監視システムでは、画像拡大設定機能は、オペレータによる操作に基づいて、マウスにより直接的に拡大表示する画像の位置を決定するようにして、これにより、監視対象領域内における不審者などの異常を適切な位置の画像を用いて監視することができる。
【０１１０】
従って、従来では、カメラのズームレンズや雲台を操作して不審者などの異常を監視する場合に生じる死角の問題や、複数箇所をズームアップするための煩雑な雲台操作に問題があったが、本例の監視システムでは、例えば、カメラのズームレンズや雲台を操作しなくとも、高画質の画像を用いて、オペレータによる操作や検出機能（本例では、異常検出部１５、１２５）により２つ以上の監視対象物体を適切な位置及び拡大率で拡大表示することができ、不審者などの異常の見逃しが少ない監視を実現することができる。
このように、本例の監視システムでは、同一の画面内に２つ以上の位置の部分画像の拡大表示が可能であり、検出された異常に応じて撮像装置１１、１２１を制御することで適切な画像を取得することや、２つ以上の監視対象物体についてオペレータが指定した位置の画像を拡大画面で表示することや、撮像した高精細画像を用いて２つ以上の監視対象物体を適切な位置及び拡大率で拡大表示することなどが可能である。
【０１１１】
なお、本例の監視装置１、１１１では、撮像装置１１、１２１の機能により画像撮像手段が構成されており、通信部１６、１２６などの機能により画像送信手段が構成されている。
また、本例の監視端末装置２、１１２では、監視装置１、１１１から送信される画像を受信する機能により画像受信手段が構成されており、図４や図１１や図１２に示されるように受信した画像に含まれる複数の部分の画像を同一の画面に拡大して表示する機能により拡大画像表示手段が構成されており、画像部分を示す枠（本例では、表示枠）８２〜８４を表示する機能により画像部分枠表示手段が構成されており、それぞれの枠８２〜８４とそれぞれの画像のフレーム（本例では、高精細画像拡大表示部）６３〜６５との対応関係を視覚的に表示する機能により画像部分対応関係表示手段が構成されており、拡大して表示する画像の位置（枠）８２〜８４を初期的に設定する機能により画像部分位置初期設定手段が構成されており、拡大表示位置移動ボタン７５〜７８、１６１などにより拡大して表示する画像の位置（枠）８２〜８４を移動させる機能により画像部分位置移動手段が構成されており、拡大率変更ボタン７９、１７１やポップアップメニュー１８１などにより拡大して表示する画像の拡大率の値を設定する機能により画像部分拡大率設定手段が構成されており、拡大表示選択ボタン７２〜７４により表示枠８２〜８４による画像部分の指定を解除する機能により画像部分枠指定解除手段が構成されている。
【０１１２】
ここで、本発明に係る監視システムや監視装置や監視端末装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。応用例として、監視目的以外にも、例えば、幼稚園の運動会や、野球等のスポーツを視聴する目的などのシステムとして実現することも可能である。
また、本発明に係る監視システムや監視装置や監視端末装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【０１１３】
【図１】本発明の第１の例に係る監視システムの構成例を示す図である。
【図２】差分法による処理の手順の一例を説明するための図である。
【図３】差分法を用いた監視方式による処理の手順の一例を示す図である。
【図４】監視端末装置の操作画面の表示の一例を示す図である。
【図５】マニュアル撮像における動作の一例を説明するための図である。
【図６】本発明の第２の例に係る監視システムの構成例を示す図である。
【図７】自動撮像における動作の一例を説明するための図である。
【図８】監視端末装置における操作ボタン（拡大表示位置移動ボタン）の一例を示す図である。
【図９】監視端末装置における操作ボタン（拡大率変更ボタン）の一例を示す図である。
【図１０】監視端末装置における操作ボタン（拡大率変更ポップアップメニュー）の一例を示す図である。
【図１１】監視端末装置の操作画面の表示の一例を示す図である。
【図１２】監視端末装置の操作画面の表示の一例を示す図である。
【図１３】撮像により取得される画像と表示部との画素数の対応の一例を示す図である。
【符号の説明】
【０１１４】
１、１１１・・監視装置、  ２、１１２・・監視端末装置、  ３、１１３・・ネットワーク、  ４、５、１１４、１１５・・アクセスライン、  １１、１２１、１９１・・撮像装置、  １２、１２２・・映像切替部、  １３、１２３・・標準画像符号化部、  １４、１２４・・高精細画像符号化部、  １５、１２５・・異常検出部、  １６、１２６・・通信部、  １７、１２７・・撮像装置制御部、  ２１〜２４、１０１〜１０５、１３１〜１３５、１４１〜１４４・・画像、  ３１・・差分器、  ３２・・二値化器、  ４１〜４３・・画像部、  ４４・・外接矩形、  ４５・・画像範囲、  ５１・・操作画面、  ６１・・標準画像表示部、  ６２・・高精細画像表示部、  ６３〜６５・・高精細画像拡大表示部、  ７１・・シャッタボタン、  ７２〜７４・・拡大表示選択ボタン、  ７５〜７８・・拡大表示位置移動ボタン、  ７９、１７１・・拡大率変更ボタン、  ８１・・報知メッセージ、  ８２〜８４・・表示枠、  ９１〜９６、１５１〜１５３・・伝送信号、  １２８・・画像記録部、  １２９・・読み出し制御部、  １６１・・拡大表示位置移動ボタン、  １８１・・ポップアップメニュー、  １８２・・ポインタ、  １９２・・標準画像、  １９３・・高精細画像、  １９４・・画像部分、
【図１】
2006033380.tif 000005
【図２】
2006033380.tif 000006
【図３】
2006033380.tif 000007
【図４】
2006033380.tif 000008
【図５】
2006033380.tif 000009
【図６】
2006033380.tif 000010
【図７】
2006033380.tif 000011
【図８】
2006033380.tif 000012
【図９】
2006033380.tif 000013
【図１０】
2006033380.tif 000014
【図１１】
2006033380.tif 000015
【図１２】
2006033380.tif 000016
【図１３】
2006033380.tif 000017
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
監視対象となる領域の画像を撮像する監視装置と、前記監視装置により撮像された画像を表示する監視端末装置を有した監視システムの監視端末装置における画像表示方法であって、
前記監視装置から送信される画像を受信し、
前記受信した画像に含まれる２つ以上の部分の画像をユーザによる操作に応じたそれぞれの拡大率により同一の画面に拡大して表示する、
ことを特徴とする監視端末装置における画像表示方法。
【請求項２】
請求項１に記載の監視端末装置における画像表示方法において、
前記受信した画像に含まれる２つ以上の部分のそれぞれを示す枠を表示し、
前記表示したそれぞれの枠で示される部分の画像をそれぞれ異なるフレームに拡大して表示し、
前記表示したそれぞれの枠と前記それぞれのフレームとの対応関係を色で表示する、
ことを特徴とする監視端末装置における画像表示方法。
【請求項３】
請求項１に記載の監視端末装置における画像表示方法において、
前記受信した画像に含まれる２つ以上の部分のそれぞれを示す枠を表示し、
前記表示したそれぞれの枠で示される部分の画像をそれぞれ異なるフレームに拡大して表示し、
前記枠の表示数に限りがある場合に、ユーザによる操作に応じて前記表示したそれぞれの枠による画像部分の指定のいずれかを解除し、新たな画像部分の指定を受け付ける、
ことを特徴とする監視端末装置における画像表示方法。
【請求項４】
請求項１乃至請求項３のいずれか１項に記載の監視端末装置における画像表示方法において、
前記拡大して表示する画像の位置を異常の検出結果に基づいて初期的に設定する、
ことを特徴とする監視端末装置における画像表示方法。
【請求項５】
請求項１乃至請求項４のいずれか１項に記載の監視端末装置における画像表示方法において、
前記監視装置から送信される複数種類の画質の画像を受信し、
前記複数種類の画質の画像のうちで、画像部分を指定するための画質の画像を用いて２つ以上の部分の指定を受け付け、画像部分を拡大表示するための画質の画像を用いて前記指定された２つ以上の部分の画像を拡大して表示する、
ことを特徴とする監視端末装置における画像表示方法。